(57)【要約】  電子ミラーシステムが、薄型テレビジョン（１０）にタッチパネル（１１）を貼り付けたミラー部（１２）と、前用ビデオカメラ（１３）と、後用ビデオカメラ（１４）と、本体部（２１）とを備える。前画像と後画像とが、ミラー部（１２）の薄型テレビジョン（１０）に同時に表示される。
2012120622.tif 000002
【特許請求の範囲】
【請求項１】
被写体である人物の多方向からの画像を連動表示する電子ミラーシステムであって、
ピクセル数ｉ×ｍ（ｉ：縦、ｍ：横）の表示画面と、前記表示画面に設けられたタッチパネルとを含み、前記被写体の前方に配置されるミラー部と、
ピクセル数ｉ×ｍ（ｉ：縦、ｍ：横）のＣＣＤ及び画角を拡大する広角制御機能を備え、前記ミラー部の端側に設けられて、前記被写体の前正面を撮影する前用ビデオカメラであって、撮影時点の１フレームの撮影画像を第１の前撮影画像として、広角制御後の撮影画像を第２の前撮影画像として出力する前用ビデオカメラと、
ピクセル数ｉ×ｍ（ｉ：縦、ｍ：横）のＣＣＤ及び画角を拡大する広角制御機能を備え、前記被写体の後側に配置されて、前記被写体の後正面を撮影する後用ビデオカメラであって、撮影時点の１フレームの撮影画像を第１の後撮影画像として、広角制御後の撮影画像を第２の後撮影画像として出力する後用ビデオカメラと、
前記前用ビデオカメラから出力された前記第１の前撮影画像又は前記第２の前撮影画像を取り込む第１手段と、
前記後用ビデオカメラから出力された前記第１の後撮影画像又は前記第２の後撮影画像を取り込む第２手段と、
前記第１又は第２の後撮影画像の入力を停止して、前記第１の前撮影画像を前記ミラー部に出力して前記表示画面に表示させる第３手段と、
前記被写体の前正面の前画像及び後正面の後画像の連動表示の指示を受けて、前記第３手段による前記入力の停止を解除して、前記前用ビデオカメラ及び前記後用ビデオカメラに対して、画角を拡大させる広角制御信号を送出する第４手段と、
前記連動表示の指示を受けて、前記第２の前撮影画像の中から前記被写体を含む第１の範囲の画像を抽出し、これを抽出前画像として出力する第５手段と、
前記連動表示の指示を受けて、前記第２の後撮影画像の中から前記被写体の後画像を含む第２の範囲の画像を抽出し、これを抽出後画像として出力する第６手段と、
前記第５手段により出力された前記抽出前画像を、前記表示画面のピクセル数ｉ×ｍ以下のピクセル数ｅ×ｈ（ｅ：縦、ｈ：横）となるように変更し、これを前ミラー画像として前記表示画面の第１の領域に表示する第７手段と、
前記第６手段により出力された前記抽出後画像を、前記表示画面のピクセル数ｉ×ｍ以下のピクセル数ｒ×ｓ（ｒ：縦、ｓ：横）となるように変更し、これを後ミラー画像として前記表示画面の前記第１の領域とは異なる第２の領域に表示する第８手段と、
を備えた電子ミラーシステム。
【請求項２】
前記前ミラー画像と前記後ミラー画像とを同じ大きさで表示させるために、前記表示画面のピクセル数ｉ×ｍの約半分となる一方の範囲を前記第１の領域として設定すると共に、前記表示画面のピクセル数ｉ×ｍの約半分となる他方の範囲を前記第２の領域として設定する第９手段をさらに備えた
請求項１記載の電子ミラーシステム。
【請求項３】
前記前ミラー画像よりも前記後ミラー画像を小さくして連動表示させるために、前記ピクセル数ｒ×ｓを前記ピクセル数ｅ×ｈよりも少なく設定する第１０手段をさらに備えた
請求項１又は２記載の電子ミラーシステム。
【請求項４】
前記後ミラー画像よりも前記前ミラー画像を小さくして連動表示させるために、前記ピクセル数ｅ×ｈを前記ピクセル数ｒ×ｓよりも少なく設定する第１１手段をさらに備えた
請求項１乃至３のいずれかに記載の電子ミラーシステム。
【請求項５】
前記表示画面の端にストック領域を生成する第１２手段と、
前記前ミラー画像と前記後ミラー画像とを表示させているとき、撮影指示を受けて、前記前ミラー画像及び前記後ミラー画像を静止画像にして前記表示画面に表示する第１３手段と、
前記前ミラー画像の静止画像及び前記後ミラー画像の静止画像が前記表示画面に表示されているとき、ストック指示を受けて、表示されている前記前ミラー画像の静止画像と前記後ミラー画像の静止画像とをストック領域用画像メモリに両者をリンク付けて保存する第１４手段と、
前記ストック領域用画像メモリに保存された前記前ミラー画像の静止画像のみを読み出して縮小し、これを選択可能なストック画像として前記ストック領域に表示する第１５手段と、
前記ストック画像が選択される毎に、選択されたストック画像の前記前ミラー画像の静止画像を前記ピクセル数ｅ×ｈ（ｅ：縦、ｈ：横）となるように変更すると共に、前記選択されたストック画像の前記前ミラー画像の静止画像にリンク付けされている前記後ミラー画像の静止画像を前記ピクセル数ｒ×ｓ（ｒ：縦、ｓ：横）となるように変更し、共に前記表示画面に表示する第１６手段と、をさらに備えた
請求項１乃至４のいずれかに記載の電子ミラーシステム。
【請求項６】
比較指示を受けて、前記表示画面に複数の格子枠を有する比較枠を表示する第１７手段と、
前記ストック領域に表示されているストック画像が選択される毎に、選択されたストック画像を前記比較枠の第１の格子枠内に拡大表示すると共に、前記選択されたストック画像の前記前ミラー画像の静止画像にリンク付けされている後ミラー画像の静止画像を前記ストック領域用画像メモリから読み出して前記第１の格子枠に隣接する第２の格子枠内に拡大表示する第１８手段と、をさらに備えた
請求項５記載の電子ミラーシステム。
【請求項７】
前記被写体の一部のみを撮影する部分用ビデオカメラと、
前記部分用ビデオカメラから出力された部分画像を取り込む第１９手段と、
前記取込んだ部分画像を前記表示画面に表示する第２０手段と、
撮影指示を受けて、前記部分画像を静止画像にして表示する第２１手段と、
前記部分画像の静止画像が表示されているとき、前記ストック指示を受けて、表示されている前記部分画像の静止画像を前記前ミラー画像及び前記後ミラー画像と共にリンク付けして前記ストック領域用画像メモリに保存する第２２手段と、
前記ストック画像の選択を受けて、前記部分画像をリンク付けされた前ミラー画像の静止画像及び後ミラー画像の静止画像の少なくとも一方と共に前記表示画面に表示する第２３手段と、をさらに備えた
請求項５記載の電子ミラーシステム。
【請求項８】
前記前ミラー画像及び前記後ミラー画像の少なくとも一方の画像を一定時間、動画メモリに保存する第２４手段と、
前記被写体の前画像と後画像との連動表示の場合は、前記動画メモリに保存されている前ミラー画像を前記ピクセル数ｅ×ｈ（ｅ：縦、ｈ：横）となるように変更するとともに、前記動画メモリに保存されている後ミラー画像を前記ピクセル数ｒ×ｓ（ｒ：縦、ｓ：横）となるように変更して、共に前記表示画面に表示させ、前記被写体の前画像及び後画像の一方の表示の場合は、前記動画メモリに保存されている前記前ミラー画像及び前記後ミラー画像の一方をピクセル数ｉ×ｍの範囲内で変更して前記表示画面に表示させる第２５手段と、をさらに備えた
請求項１乃至７のいずれかに記載の電子ミラーシステム。
【請求項９】
前記前及び後用ビデオカメラをそれぞれ回動可能に支持し、水平移動可能な第１および第２の雲台と、
前記被写体の前画像と後画像とを連動表示させるとき、前記前用ビデオカメラの光軸中心が前画像が表示されている前記表示画面の一方の画面の縦中心軸に来るように前記第１の雲台を水平移動させる第１の雲台制御信号を送出する第２６手段と、
前記被写体の前画像と後画像とを連動表示させるとき、前記後用ビデオカメラの光軸中心が後画像が表示されている前記表示画面の他方の画面の縦中心軸に来るように前記第２の雲台を水平移動させる第２の雲台制御信号を送出する第２７手段と、をさらに備えた
請求項１乃至８のいずれかに記載の電子ミラーシステム。
【請求項１０】
前記第１の前撮影画像及び前記第１の後撮影画像に対して横方向を縮小させるスリム化補正を施す第２８手段をさらに備えた
請求項１乃至９のいずれかに記載の電子ミラーシステム。
【請求項１１】
前記第１の後撮影画像に対して、ぎらつき除去を施す第２９手段をさらに備えた
請求項１乃至１０のいずれかに記載の電子ミラーシステム。
【請求項１２】
前記ミラー部の前記表示画面は、縦型又は横型の薄型テレビジョンである
請求項１乃至１１のいずれかに記載の電子ミラーシステム。
【請求項１３】
ピクセル数ｉ×ｍ（ｉ：縦、ｍ：横）の表示画面と、前記表示画面に設けられたタッチパネルとを含み、被写体である人物の前方に配置されるミラー部と、
ピクセル数ｉ×ｍ（ｉ：縦、ｍ：横）のＣＣＤ及び画角を拡大する広角制御機能を備え、前記ミラー部の端側に設けられて、前記被写体の前正面を撮影する前用ビデオカメラであって、撮影時点の１フレームの撮影画像を第１の前撮影画像として、広角制御後の撮影画像を第２の前撮影画像として出力する前用ビデオカメラと、
ピクセル数ｉ×ｍ（ｉ：縦、ｍ：横）のＣＣＤ及び画角を拡大する広角制御機能を備え、前記被写体の後側に配置されて、前記被写体の後正面を撮影する後用ビデオカメラであって、撮影時点の１フレームの撮影画像を第１の後撮影画像として、広角制御後の撮影画像を第２の後撮影画像として出力する後用ビデオカメラと、を備え、被写体である人物の多方向からの画像を連動表示する電子ミラーシステムを制御するためのプログラムであって、
コンピュータに、
（ａ）前記前用ビデオカメラから出力された前記第１の前撮影画像又は前記第２の前撮影画像を第１の記憶手段に記憶する手順、
（ｂ）前記後用ビデオカメラから出力された前記第１の後撮影画像又は前記第２の後撮影画像を第２の記憶手段に記憶する手順、
（ｃ）前記第１又は第２の後撮影画像の入力を停止して、前記第１の前撮影画像を前記ミラー部に出力して前記表示画面に表示させる手順、
（ｄ）前記被写体の前正面の前画像及び後正面の後画像の連動表示の指示を受けて、前記第３手段による前記入力の停止を解除して、前記前用ビデオカメラ及び前記後用ビデオカメラに対して、画角を拡大させる広角制御信号を送出する手順、
（ｅ）前記連動表示の指示を受けて、前記第２の前撮影画像の中から前記被写体を含む第１の範囲の画像を抽出し、これを抽出前画像として出力する手順、
（ｆ）前記連動表示の指示を受けて、前記第２の後撮影画像の中から前記被写体の後画像を含む第２の範囲の画像を抽出し、これを抽出後画像として出力する手順、
（ｇ）前記手順（ｅ）により出力された前記抽出前画像を、前記表示画面のピクセル数ｉ×ｍ以下のピクセル数ｅ×ｈ（ｅ：縦、ｈ：横）となるように変更し、これを前ミラー画像として前記表示画面の第１の領域に表示する手順、
（ｈ）前記手順（ｆ）により出力された前記抽出後画像を、前記表示画面のピクセル数ｉ×ｍ以下のピクセル数ｒ×ｓ（ｒ：縦、ｓ：横）となるように変更し、これを後ミラー画像として前記表示画面の前記第１の領域とは異なる第２の領域に表示する手順、
を実行させるためのプログラム。
【請求項１４】
前記コンピュータに、
（ｉ）前記表示画面の端にストック領域を生成する手順、
（ｊ）前記前ミラー画像と前記後ミラー画像とを表示させているとき、撮影指示を受けて、前記前ミラー画像及び前記後ミラー画像を静止画像にして前記表示画面に表示する手順、
（ｋ）前記前ミラー画像の静止画像及び前記後ミラー画像の静止画像が前記表示画面に表示されているとき、ストック指示を受けて、表示されている前記前ミラー画像の静止画像と前記後ミラー画像の静止画像とをストック領域用画像メモリに両者をリンク付けて保存する手順、
（ｌ）前記ストック領域用画像メモリに保存された前記前ミラー画像の静止画像のみを読み出して縮小し、これを選択可能なストック画像として前記ストック領域に表示する手順、
（ｍ）前記ストック画像が選択される毎に、選択されたストック画像の前記前ミラー画像の静止画像を前記ピクセル数ｅ×ｈ（ｅ：縦、ｈ：横）となるように変更すると共に、前記選択されたストック画像の前記前ミラー画像の静止画像にリンク付けされている前記後ミラー画像の静止画像を前記ピクセル数ｒ×ｓ（ｒ：縦、ｓ：横）となるように変更し、共に前記表示画面に表示する手順、
（ｎ）比較指示を受けて、前記表示画面に複数の格子枠を有する比較枠を表示する手順、
（ｏ）前記ストック領域に表示されているストック画像が選択される毎に、選択されたストック画像を前記比較枠の第１の格子枠内に拡大表示すると共に、前記選択されたストック画像の前記前ミラー画像の静止画像にリンク付けされている後ミラー画像の静止画像を前記ストック領域用画像メモリから読み出して前記第１の格子枠に隣接する第２の格子枠内に拡大表示する手順、
をさらに実行させるための請求項１３記載のプログラム。
【請求項１５】
ピクセル数ｉ×ｍ（ｉ：縦、ｍ：横）の表示画面と、前記表示画面に設けられたタッチパネルとを含み、被写体である人物の前方に配置されるミラー部と、
ピクセル数ｉ×ｍ（ｉ：縦、ｍ：横）のＣＣＤ及び画角を拡大する広角制御機能を備え、前記ミラー部の端側に設けられて、前記被写体の前正面を撮影する前用ビデオカメラであって、撮影時点の１フレームの撮影画像を第１の前撮影画像として、広角制御後の撮影画像を第２の前撮影画像として出力する前用ビデオカメラと、
ピクセル数ｉ×ｍ（ｉ：縦、ｍ：横）のＣＣＤ及び画角を拡大する広角制御機能を備え、前記被写体の後側に配置されて、前記被写体の後正面を撮影する後用ビデオカメラであって、撮影時点の１フレームの撮影画像を第１の後撮影画像として、広角制御後の撮影画像を第２の後撮影画像として出力する後用ビデオカメラと、を備えた電子ミラーシステムにおける、被写体である人物の多方向からの画像を連動表示する方法であって、
前記前用ビデオカメラから出力された前記第１の前撮影画像又は前記第２の前撮影画像を取り込む第１工程と、
前記後用ビデオカメラから出力された前記第１の後撮影画像又は前記第２の後撮影画像を取り込む第２工程と、
前記第１又は第２の後撮影画像の入力を停止して、前記第１の前撮影画像を前記ミラー工程に出力して前記表示画面に表示させる第３工程と、
前記被写体の前正面の前画像及び後正面の後画像の連動表示の指示を受けて、前記第３工程による前記入力の停止を解除して、前記前用ビデオカメラ及び前記後用ビデオカメラに対して、画角を拡大させる広角制御信号を送出する第４工程と、
前記連動表示の指示を受けて、前記第２の前撮影画像の中から前記被写体を含む第１の範囲の画像を抽出し、これを抽出前画像として出力する第５工程と、
前記連動表示の指示を受けて、前記第２の後撮影画像の中から前記被写体の後画像を含む第２の範囲の画像を抽出し、これを抽出後画像として出力する第６工程と、
前記第５工程により出力された前記抽出前画像を、前記表示画面のピクセル数ｉ×ｍ以下のピクセル数ｅ×ｈ（ｅ：縦、ｈ：横）となるように変更し、これを前ミラー画像として前記表示画面の第１の領域に表示する第７工程と、
前記第６工程により出力された前記抽出後画像を、前記表示画面のピクセル数ｉ×ｍ以下のピクセル数ｒ×ｓ（ｒ：縦、ｓ：横）となるように変更し、これを後ミラー画像として前記表示画面の前記第１の領域とは異なる第２の領域に表示する第８工程と、
を備えた方法。
【発明の詳細な説明】
【技術分野】
【０００１】
本発明は、被写体を多角視野方向から撮影した画像を、ユーザが希望する方向で画面に表示する電子ミラーシステムに関する。
【背景技術】
【０００２】
近年は画像処理技術の高速化に伴って、鏡に代わって、カメラで撮影した被写体の画像をディスプレイに瞬時に表示することで通常の鏡と同等の視覚感覚を与える電子ミラーという装置がある。【０００３】
例えば、特許文献１は、洗面台の鏡が設置された場所にモニタ画面を備え、このモニタ画面の左右にビデオカメラを配置して洗面台に立った利用者の背丈に関係なく、その正面の画像をモニタ画面に写しだしながら、天気予報等を同時に表示する。【０００４】
一方、電子ミラーは、カメラで撮影した被写体の正面の画像をディスプレイに瞬時に表示するのでアパレル産業においても配置する店がある（特許文献２参照）。
【先行技術文献】
【特許文献】
【０００５】
【特許文献１】特許第３５０５５７５号公報
【特許文献２】特許第４５９８８４２号公報
【発明の概要】
【発明が解決しようとする課題】
【０００６】
上記の特許文献１、特許文献２は、正面から撮影した画像を表示器（モニタ、薄型テレビジョン）に表示するものであるから、被写体の後ろ画像は後ろを向いて撮影しないかぎり表示器に写し出すことができない。【０００７】
特許文献２においては、後ろを向いてカメラで撮影させて、この後ろ画像を記憶（静止画）して、画面に表示することで後ろを見せることが可能となっている。【０００８】
つまり、特許文献２は表示器の横に設けられたカメラに後ろを向かなければ、後ろ画像を表示させることができないので、被写体であるユーザからみればわずらわしいという課題があった。【０００９】
さらに、ユーザは、靴などを試着した場合には、靴の部分も同時に見たい、あるいは横も同時に見たいという場合がある（多角的視野方向ともいう）。【００１０】
しかしながら、特許文献１、２は正面から撮影するだけであるからこれらの要望に答えることはできないという課題があった。【００１１】
本発明は、多角的視野方向（後ろ、前、横、一部）からの画像を同時に見させることができる電子ミラーシステムを提供することを目的とする。
【課題を解決するための手段】
【００１２】
本発明は、被写体である人物の多方向からの画像を連動表示する電子ミラーシステムであって、ピクセル数ｉ×ｍ（ｉ：縦、ｍ：横）の表示画面と、前記表示画面に設けられたタッチパネルとを含み、前記被写体の前方に配置されるミラー部と、ピクセル数ｉ×ｍ（ｉ：縦、ｍ：横）のＣＣＤ及び画角を拡大する広角制御機能を備え、前記ミラー部の端側に設けられて、前記被写体の前正面を撮影する前用ビデオカメラであって、撮影時点の１フレームの撮影画像を第１の前撮影画像として、広角制御後の撮影画像を第２の前撮影画像として出力する前用ビデオカメラと、ピクセル数ｉ×ｍ（ｉ：縦、ｍ：横）のＣＣＤ及び画角を拡大する広角制御機能を備え、前記被写体の後側に配置されて、前記被写体の後正面を撮影する後用ビデオカメラであって、撮影時点の１フレームの撮影画像を第１の後撮影画像として、広角制御後の撮影画像を第２の後撮影画像として出力する後用ビデオカメラと、前記前用ビデオカメラから出力された前記第１の前撮影画像又は前記第２の前撮影画像を取り込む第１手段と、前記後用ビデオカメラから出力された前記第１の後撮影画像又は前記第２の後撮影画像を取り込む第２手段と、前記第１又は第２の後撮影画像の入力を停止して、前記第１の前撮影画像を前記ミラー部に出力して前記表示画面に表示させる第３手段と、前記被写体の前正面の前画像及び後正面の後画像の連動表示の指示を受けて、前記第３手段による前記入力の停止を解除して、前記前用ビデオカメラ及び前記後用ビデオカメラに対して、画角を拡大させる広角制御信号を送出する第４手段と、前記連動表示の指示を受けて、前記第２の前撮影画像の中から前記被写体を含む第１の範囲の画像を抽出し、これを抽出前画像として出力する第５手段と、前記連動表示の指示を受けて、前記第２の後撮影画像の中から前記被写体の後画像を含む第２の範囲の画像を抽出し、これを抽出後画像として出力する第６手段と、前記第５手段により出力された前記抽出前画像を、前記表示画面のピクセル数ｉ×ｍ以下のピクセル数ｅ×ｈ（ｅ：縦、ｈ：横）となるように変更し、これを前ミラー画像として前記表示画面の第１の領域に表示する第７手段と、前記第６手段により出力された前記抽出後画像を、前記表示画面のピクセル数ｉ×ｍ以下のピクセル数ｒ×ｓ（ｒ：縦、ｓ：横）となるように変更し、これを後ミラー画像として前記表示画面の前記第１の領域とは異なる第２の領域に表示する第８手段と、を備えたことを要旨とする。
【発明の効果】
【００１３】
本発明によれば、人物である被写体の前画像と後画像とをピクセル数がｉ×ｍの表示画面において、被写体をできるだけ大きくして見せることができる。
【図面の簡単な説明】
【００１４】
【図１】図１は、本発明の実施の形態に係る電子ミラーシステムの概略構成図である。
【図２】図２は、本発明の実施の形態に係る電子ミラーシステムによる前ミラー画像と後ミラー画像との連動表示を説明する説明図である。
【図３】図３は、本発明の実施の形態１に係る電子ミラーシステムの側面図である。
【図４】図４は、ミラー部の正面図である。
【図５】図５は、実施の形態１に係る電子ミラーシステムの平面図である。
【図６】図６は、実施の形態１に係る電子ミラーシステムの平面図である。
【図７】図７は、実施の形態１に係る本体部の概略構成図である。
【図８】図８は、薄型テレビジョンの画面の表示領域を説明する説明図である。
【図９】図９は、第１の画像・ボタン遷移管理部の概略構成図である。
【図１０】図１０は、モード判定部の動作を説明する説明図である。
【図１１】図１１は、ボタン書込部の動作を説明する説明図である。
【図１２】図１２（ａ）乃至（ｃ）は、ボタンテーブルを説明する説明図である。
【図１３】図１３は、表示画像選択部を説明する説明図である。
【図１４】図１４は、実施の形態１に係る電子ミラーシステムの概略動作を説明するフローチャートである。
【図１５】図１５（ａ）乃至（ｇ）は、実施の形態１に係る薄型テレビジョンの画面に表示される画像の遷移図である。
【図１６】図１６（ｇ）乃至（ｊ）は、実施の形態１に係る薄型テレビジョンの画面に表示される画像の遷移図である。
【図１７】図１７は、実施の形態１に係る前ミラー画像の表示を説明する説明図である。
【図１８】図１８は、前後同時表示モード処理による表示例の説明図である。
【図１９】図１９は、後ミラー画像モード処理による表示例の説明図である。
【図２０】図２０（ａ）乃至（ｄ）は、広角制御によるＣＣＤ（ｉ×ｍ）に撮影される被写体の大きさを説明する説明図である。
【図２１】図２１（ａ）乃至（ｅ）は、前画像領域抽出部及び後画像領域抽出部の処理を説明する説明図である。
【図２２】図２２は、本発明の実施の形態２に係る電子ミラーシステムの概略構成図である。
【図２３】図２３（ａ）、（ｂ）は、エフェクトを説明する説明図である。
【図２４】図２４は、本発明の実施の形態３に係る電子ミラーシステムの概略構成図である。
【図２５】図２５は、実施の形態３に係るストック領域の表示を説明する説明図である。
【図２６】図２６（ａ）、（ｂ）は、第３の遷移テーブルの説明図である。
【図２７】図２７（ａ）、（ｂ）は、第３の遷移テーブルの説明図である。
【図２８】図２８（ａ）乃至（ｄ）は、実施の形態３に係る各モードによる処理を説明する説明図である。
【図２９】図２９（ａ）乃至（ｆ）は、実施の形態３に係る各モードによる処理を説明する説明図である。
【図３０】図３０（ａ）乃至（ｃ）は、ストック用画像メモリを説明する説明図である。
【図３１】図３１（ａ）乃至（ｃ）は、各種画像メモリを説明する説明図である。
【図３２】図３２は、前後画像・撮影・ストック・比較部の概略構成図である。
【図３３】図３３は、実施の形態３に係る電子ミラーシステムの動作を説明するフローチャートである。
【図３４】図３４は、実施の形態３に係る電子ミラーシステムの動作を説明するフローチャートである。
【図３５】図３５は、実施の形態３に係る同時表示モードの表示例を説明する説明図である。
【図３６】図３６は、実施の形態３に係る同時表示モードの表示例を説明する説明図である。
【図３７】図３７は、実施の形態３に係る同時表示モードの表示例を説明する説明図である。
【図３８】図３８は、実施の形態３に係る同時表示モードの表示例を説明する説明図である。
【図３９】図３９は、実施の形態３に係る比較モードによる表示例を説明する説明図である。
【図４０】図４０は、実施の形態３に係る比較モードによる表示例を説明する説明図である。
【図４１】図４１（ａ）乃至（ｇ）は、実施の形態３に係る前画像・撮影・ストック・比較処理を説明する説明図である。
【図４２】図４２は、本発明の実施の形態４に係る電子ミラーシステムの概略構成図である。
【図４３】図４３は、本発明の実施の形態５に係る電子ミラーシステムの概略構成図である。
【図４４】図４４は、実施の形態５に係る電子ミラーシステムによる部分画像の表示例を説明する説明図である。
【図４５】図４５は、実施の形態５に係る電子ミラーシステムによる部分画像の表示例を説明する説明図である。
【図４６】図４６は、実施の形態５に係る電子ミラーシステムによる部分画像の表示例を説明する説明図である。
【図４７】図４７は、本発明の実施の形態６に係る電子ミラーシステムの概略構成図である。
【図４８】図４８（ａ）乃至（ｆ）は、実施の形態６に係る電子ミラーシステムによる動画表示例の説明図である。
【図４９】図４９（ａ）乃至（ｆ）は、実施の形態６に係る電子ミラーシステムによる動画表示例の説明図である。
【図５０】図５０は、本発明の実施の形態７に係る電子ミラーシステムの概略構成図である。
【図５１】図５１（ａ）乃至（ｄ）は、本発明の他の実施の形態に係る電子ミラーシステムの説明図である。
【図５２】図５２は、他の実施の形態に係る電子ミラーシステムの説明図である。
【図５３】図５３は、他の実施の形態に係る電子ミラーシステムの説明図である。
【発明を実施するための形態】
【００１５】
図面を参照して、本発明の実施の形態を詳細に説明する。
【００１６】
但し、図面は模式的なものであり、装置やシステムの構成等は現実のものとは異なることに留意すべきである。したがって、具体的な構成は以下の説明を参酌して判断すべきものである。また、図面相互間においても互いの構成の異なる部分が含まれていることは勿論である。
【００１７】
また、以下に示す本発明の実施の形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された技術的範囲内において、種々の変更を加えることができる。
【００１８】
本実施の形態の電子ミラーシステム（多角視野方向電子ミラーシステムともいう）は、服飾販売店、写真店、ゲーム店、会社のロビー、エレベータ内、めがね店、ホテル内、美容院、家庭内、空港内等の施設内において使用できる。
【００１９】
図１は本実施の形態の電子ミラーシステムの概略構成図である。図１の電子ミラーシステムは、薄型テレビジョン１０（液晶又はＰＤＰ：プラズマディスプレイ）にタッチパネル１１（静電式、圧電式等）を貼り付けたミラー部１２（表示部ともいう）と、ミラー部１２の横（右横又は左横若しくは上）に設けられたビデオカメラ１３（前用ビデオカメラ１３ともいう）とを備えている。
【００２０】
前述のタッチパネル１１は、当該パネル面に触れられと（タッチ）、その位置をＸ、Ｙ座標で出力する（以下タッチ座標ＴＧｉという）。
【００２１】
また、被写体Ａｉの後ろに設けたビデオカメラ１４（後用ビデオカメラ１４ともいう）と、電子ミラー本体装置２０（本体部２１、表示器２２、マウス２３を含む）等を備えて、図２に示すように、ミラー部１２の薄型テレビジョン１０（単にモニタともいう）に前画像と後画像とを同時に表示する（同時表示モードともいう）。
【００２２】
同時表示モードの場合は、被写体Ａｉの正面を前用ビデオカメラ１３で撮影した画像に対して後述するサイズ補正処理を施した前ミラー画像ＺＭｉと、後用ビデオカメラ１４で被写体Ａｉの後ろを撮影した画像に対して後述する「ぎらつき」除去及びサイズ補正処理を施した後ミラー画像ＺＢｉとを同時表示する。
【００２３】
前述の後用ビデオカメラ１４で被写体Ａｉを後方から撮影した場合は、薄型テレビジョン１０も含んで撮影されるので、後用ビデオカメラ１４が撮影した後画像は、「ぎらつき」部分（ハレーション部分ともいう）を含む場合がある。このため、後用ビデオカメラ１４のレンズ前には、偏光フィルタ１４ａ等を備えて「ぎらつき光」を抑制するようにしてもよい。
【００２４】
ミラー画像というのは動画像である。本実施の形態では、被写体Ａｉがミラー部１２の前に立ったときには、本実施の形態の電子ミラー装置２０の本体部２１は高速演算型のＣＰＵ、ハード回路等を用いているため、薄型テレビジョン１０の画面には、鏡のように瞬時に被写体Ａｉの画像を表示させるので、薄型テレビジョン１０に表示された各ビデオカメラからの動画像はミラー画像と称する。
【００２５】
なお、本実施の形態では、薄型テレビジョン１０に表示された同時表示モードのミラー画像は、前ミラー画像ＺＭｉと後ミラー画像ＺＢｉと称する。
【００２６】
また、前述の同時表示以外の前ミラー画像モードでの薄型テレビジョン１０に表示されたミラー画像は、前ミラー画像Ｍｉと称し、後ミラー画像モードでのミラー画像は、後ミラー画像Ｂｉと称する。
【００２７】
また、本体部２１は、以後に説明する各実施形態の機能を備えているが、本体部２１については符号を変えないで説明する。
【００２８】
一方、ミラー部１２の薄型テレビジョン１０は、本実施の形態では５０インチ程度（横１０８０ピクセル、縦１９２０ピクセル程度）のプラズマディスプレイ（ＰＤＰ）又は液晶ディスプレイとなっている。なお、ミラー部１２は壁に埋め込んでもかまわないし、壁に貼り付けてもよい。
【００２９】
図３は本実施の形態１の電子ミラーシステムの側面図である。図４はミラー部１２の正面図である。図５は本実施の形態１の電子ミラーシステムの平面図である。
【００３０】
図３に示すように、前用ビデオカメラ１３と被写体Ａｉとの距離は、約１５０ｃｍ〜２００ｃｍ程度が好ましい。全身の場合は１５０ｃｍ程度、頭部の場合は５０ｃｍ程度が望ましい。また、電子ミラー本体装置２０は、ミラー部１２の下に置かれている。
【００３１】
さらに、後用ビデオカメラ１４と被写体Ａｉとの距離は、約１５０ｃｍ〜２００ｃｍ程度にされている。全身の場合は、１５０ｃｍ程度、頭部の場合は８０ｃｍ程度が望ましい。
【００３２】
そして、前撮影用ビデオカメラ１３は、図４に示すように、ミラー部１２の右側に所定の高さで（９５０ｍｍ程度）、所定の方向を向けられて設置されている。
【００３３】
また、図５に示すように前撮影用ビデオカメラ１３（解像度  縦1920ピクセルx横1080ピクセル）は、レンズ中心が水平軸に対して１４度程度傾けられて配置されている。
【００３４】
さらに、図５に示すように後用ビデオカメラ１４（解像度  縦1920ピクセルx横1080ピクセル）はレンズ中心がミラー部１２の中央に対向するように、被写体Ａｉの後方に配置されている。
【００３５】
この後用ビデオカメラ１４は、壁に埋め込んでもかまわないし（貼り付けでもよい）、三脚（図示せず）によって設置してもよい。
【００３６】
なお、前用ビデオカメラ１３及び後用ビデオカメラ１４は、高さは日本人用（例えば１６５０ｍｍ）に９５０ｍｍ程度にしており、背が高い人がいる国で使用するときは１０００ｍｍとか１０５０ｍｍ、１０１０ｍｍ程度に調整は可能である。
【００３７】
さらに、後用ビデオカメラ１４は、図６に示すように、ミラー本体部１２の左側（ミラー本体部から見て）に対向する被写体Ａｉの後方に設け、水平軸に対して光軸を１４度傾けて配置してもよい。このようにすると、後用ビデオカメラ１４は、薄型テレビジョン１０の画面に表示されないようにすることができる。
【００３８】
＜実施の形態１＞
図７は本実施の形態１の本体部２１の概略構成図である。
【００３９】
本体部２１は、図７に示すように、パネルコントローラ３３と、前用ビデオカメラ１３が撮影した映像を内部に取り込むビデオキャプチャー３４（以下前用ビデオキャプチャー３４という）と、後用ビデオカメラ１４が撮影した映像を内部に取り込むビデオキャプチャー３５（以下後用ビデオキャプチャー３５という）とを備えている。
【００４０】
また、前用ビデオカメラ１３、後用ビデオカメラ１４は、ｉ×ｍ画素列のカラーＣＣＤを備えて、外部からの制御信号（広角制御信号）で画角が広角側に制御される機能（自動広角制御機能）を有している。
【００４１】
図７においては、前用ビデオキャプチャー３４からの前画像を前画像Ｍａｉ（前撮影画像ともいう）と称し、後用ビデオキャプチャー３５からの後画像を後画像Ｂａｉ（後撮影画像ともいう）と称する。
【００４２】
また、パネルコントローラ３３は、コネクタ３０ａを介してケーブル２７によってタッチパネル１１に接続されている、前用ビデオキャプチャー３４は、コネクタ３０ｃを介してケーブル２５によって前用ビデオカメラ１３に接続されている。後用ビデオキャプチャー３５はコネクタ３０ｄを介してケーブル２６によって後用ビデオカメラ１４に接続されている。
【００４３】
また、本体部２１には、薄型テレビジョン１０にコネクタ３０ｂを介してケーブル２８が接続されている。
【００４４】
さらに、本体部２１は、前用ビデオキャプチャー３４からの前画像Ｍａｉを記憶する画像バッファメモリ３６（以下前用画像バッファメモリ３６）と、後用ビデオキャプチャー３５からの後画像Ｂａｉを記憶する画像バッファメモリ３７（以下後用画像バッファメモリ３７）と、前用スリム化部３９と、後用スリム化部４０と、ビデオ再生部４１と、ビデオコンテンツを記憶したハードディスク４２と、第１の画像・ボタン遷移管理部４５と、表示画像決定部４７と、画像表示用メモリ４９ａと、ボタン表示用メモリ４９ｂと、画像書込部４８と、後画像領域抽出部５１と、前画像領域抽出部５０と、ぎらつき除去フィルタ５３等を備えている。
【００４５】
前述の画像表示用メモリ４９ａは図８に示すように、液晶テレビジョン１０の画面に形成される画像表示領域１０ａに対応し、ボタン表示用メモリ４９ｂはボタン表示領域１０ｂに対応するものである。
【００４６】
図７においては、前用スリム化部３９で処理された前画像を前画像Ｍｓｉと称し、後用スリム化部４０で処理された後画像を後画像Ｂｓｉと称し、ぎらつき除去フィルタ５３を介しての後画像を後画像Ｂｇｉと称する。
【００４７】
また、前画像領域抽出部５０によって抽出された前画像を前画像Ｍｔｉ、後画像領域抽出部５１によって抽出された後画像を後画像Ｂｔｉと称する。
【００４８】
さらに、同時表示モードにおいて、ビデオカメラ（１３、１４）の画角を広角側に制御して得た画像に対しては、Ｚの記号をつけて区別する。
【００４９】
すなわち、前用ビデオキャプチャー３４からの前画像をＺＭａｉ、前用スリム化部３９で処理された前画像を前画像ＺＭｓｉ、前画像領域抽出部５０からの前画像はＺＭｔｉと称する。
【００５０】
後用ビデオキャプチャー３５からの後画像は後画像ＺＢａｉ、後用スリム化部４０で処理された後画像を後画像ＺＢｓｉ、ぎらつき除去フィルタ５３を介しての後画像を後画像ＺＢｇｉ、後画像領域抽出部５１によって抽出された後画像を後画像ＺＢｔｉと称する。
【００５１】
また、本体部２１は、プロセッサ、マイクロコンピュータ、ロジック、レジスタ等の適宜な組み合わせからなる中央情報処理装置（CPU）と外部通信チャネル、中央情報処理装置に読み込まれるオペレーティングシステム、アプリケーションプログラム等の情報が格納されたロム（ＲＯＭ）、ラム（ＲＡＭ）等を有する。
【００５２】
図７においては、前用スリム化部３９、後用スリム化部４０、第１の画像・ボタン遷移管理部４５、表示画像決定部４７、画像書込部４８、後画像領域抽出部５１、前画像領域抽出部５０、ぎらつきフィルタ５３等（ビデオキャプチャーを含んでもよい）はアプリケーションプログラムである。そして、図７は、これらをブロック化して記載した図である。
【００５３】
（各部の説明）
前用ビデオキャプチャー３４は、前用ビデオカメラ１３からの１フレームあたりのカラー画像信号（画像、撮影年月日時刻、カメラコード、・・・：付帯情報ともいう）をコンピュータが読込み可能な形式にして画像（前画像Ｍａｉ又は前画像ＺＭａｉ前用画像）に関連付けてバッファメモリ３６（第１の記憶手段ともいう）に記憶する（前画像Ｍａｉ又は前画像ＺＭａｉ）。
【００５４】
後用ビデオキャプチャー３５は、後用ビデオカメラ１４からの１フレームあたりのカラー画像信号（画像、撮影年月日時刻、カメラコード、・・・：付帯情報）をコンピュータが読み込み可能な形式にして画像（前画像Ｍａｉ又は前画像ＺＭａｉ前用画像）に関連付けて後用画像バッファメモリ３７（第２の記憶手段ともいう）に記憶する（後画像Ｂａｉ又は後画像ＺＢａｉ）。
【００５５】
なお、前述の前用ビデオキャプチャー３４及び後用ビデオキャプチャー３５は、前用ビデオカメラ１３及び後用ビデオカメラ１４の撮影を同期させている。
【００５６】
前用スリム化部３９は、前用画像バッファメモリ３６の前画像Ｍａｉ（又はＺＭａｉ）に対して、予め設定されているスリム化係数Ｋｉに基づいて前画像Ｍａｉ（又はＺＭａｉ）をスリム化させ（例えば、縦０パーセント縮小、横３パーセント縮小）、これを前スリム化画像Ｍｓｉ（前画像Ｍｓｉという：ＺＭｓｉ）として表示画像選択部４７に出力する。
【００５７】
後用スリム化部４０は、後用画像バッファメモリ３７の後画像Ｂａｉ（又はＺＢａｉ）に対して、予め設定されているスリム化係数Ｋｉに基づいて後画像Ｂａｉ（又はＺＢａｉ）をスリム化させ（例えば、縦０パーセント縮小、横３パーセント縮小）、これを後スリム化画像Ｂｓｉ（後画像Ｂｓｉという：後画像ＺＢｓｉ）として後段に出力する。
【００５８】
なお、ぎらつき除去フィルタ５３、偏光フィルタ１４ａは、かならずしも必要としない。
【００５９】
ぎらつき除去フィルタ５３は、後用スリム化部４０からの後画像Ｂｓｉ（ＺＢｓｉ）に対して、例えば、画像データをフーリエ変換し、表面の画素により生ずる規則的な周期成分を除去した後、逆フーリエ変換を行なうことでぎらつきを評価し、輝度ムラを除去する。
【００６０】
ビデオ再生部４１は、ＨＤＤ４２に保存されているビデオ画像を再生する。このＨＤＤ４２には複数種類のビデオ画像が記憶されており、ビデオ再生部４１が電源オンに伴ってビデオメニュー（図示せず）を画面に表示させ、いずれかのビデオを選択させる。そして、この選択されたビデオをシステム起動後の初期画面におけるビデオ画像（例えば、風景、街中、コンサート等）として表示する。
【００６１】
パネルコントローラ３３は、タッチパネル１１に対してＸ、Ｙ軸駆動信号を供給し、タッチパネル１１においてタッチ座標（Ｘｉ、Ｙｉ）等を第１の画像・ボタン遷移管理部４５に出力する。
【００６２】
第１の画像・ボタン遷移管理部４５は、薄型テレビジョン１０に表示している現在の画像が何かを管理して、タッチ座標の入力に伴って、後述する第１の遷移テーブル４６を参照して表示する画像を判定し、この判定結果を表示画像選択部４７に出力して、直ちに前ミラー画像Ｍｉ又は後ミラー画像Ｂｉ又はビデオ画像若しくは同時に前ミラー画像ＺＭｉと後ミラー画像ＺＢｉのいずれかを表示させる。
【００６３】
また、第１の画像・ボタン遷移管理部４５は、タッチ座標ＴＧｉの入力に伴って、判定した画面に応じたボタンを表示用メモリ４９ｂのボタン表示領域１０ｂ（薄型テレビジョンの画面の左端に対応するメモリ領域）に書き込みさせる。
【００６４】
さらに、第１の画像・ボタン遷移管理部４５は、ビデオ画像、前ミラー画像Ｍｉ又は後ミラー画像Ｂｉを表示すると判定した場合（つまり、ビデオ表示モード、前ミラー画像モード又は後ミラー画像モードと判定した場合）は、画像書込部４８に対して表示用メモリ４９ａの全領域（ｉ×ｍ）に渡って書き込みさせる指示を送出する。
【００６５】
また、第１の画像・ボタン遷移管理部４５は、前ミラー画像ＺＭｉと後ミラー画像ＺＢｉとを同時表示させると判定した場合は、前後画像書込部５２に対して表示用メモリ４９ａの半分の領域に前画像ＺＭｔｉを、他方の半分の領域に前画像ＺＢｔｉを書き込ませる指示を出力する。
【００６６】
表示画像選択部４７は、第１の画像・ボタン遷移管理部４５の判定結果に基づいて前画像Ｍｓｉ又は後画像Ｂｓｉ若しくはビデオ画像のいずれかを画像書込部４８に出力し、また前画像と後画像とを同時表示と判定された場合は、前画像ＺＭｓｉを前画像領域抽出部５０に出力すると共に、後画像ＺＢｇｉを後画像領域抽出部５１に出力する。
【００６７】
画像書込部４８は、表示画面選択部４７からの前画像Ｍｓｉ又は後画像Ｂｇｉのいずれかを入力し、第１の画像・ボタン遷移管理部４５からの指示に基づいて表示用メモリ４９ａに書き込む。
【００６８】
前画像領域抽出部５０は、表示画像選択部４７からの前画像ＺＭｓｉを入力し、予め設定されている抽出範囲のみを抽出し、さらに抽出した前画像の横軸が１０８０ピクセルの半分になるように拡大し（エリア補正ともいう）、これを前画像ＺＭｔｉとして出力する。
【００６９】
後画像領域抽出部５１は、表示画像選択部４７からの後画像ＺＢｓｉを入力し、予め設定されている抽出範囲のみを抽出し、さらに抽出した後画像の横軸が１０８０ピクセルの半分になるように拡大し（エリア補正ともいう）、これを後画像ＺＢｔｉとして出力する。
【００７０】
前述の抽出範囲Ｔｂｉは、任意に変更できる。
【００７１】
つまり、表示画像選択部４７は、前画像と後画像との同時表示の指示ボタン（前後ボタン）が選択されない場合は、エリア補正しない前画像Ｍｓｉ又は後画像Ｂｓｉ若しくはビデオ画像を表示させ、前後ボタンが選択された場合は、前画像ＺＭｓｉと後画像ＺＢｓｉとをエリア補正している。この理由については後述する。
【００７２】
前後画像書込部５２は、第１の画像・ボタン遷移管理部４５によって薄型テレビジョン１０の画面上の表示エリアが設定される。表示用メモリ４９ａの左半分の範囲に、後画像領域抽出部５１からの後画像ＺＢｔｉを書き込むと共に、表示用メモリ４９ａの右半分の範囲に前画像領域抽出部５０からの前画像ＺＭｔｉを書き込む。
【００７３】
なお、前画像、後画像の拡大は、前後画像書込部５２によって拡大してもよい。この拡大というのはどの位拡大させるかを示す拡大情報にして、ＺＭｔｉ、ＢＺｔｉと共に前後画像書込部５２に出力して表示用メモリ４９ａに書き込みさせて、画像出力部５０がその拡大情報に基づいて拡大してもよい。
【００７４】
次に第１の画像・ボタン遷移管理部４５について図９を用いて説明する。
【００７５】
図９に示すように、第１の画像・ボタン遷移管理部４５は、現状画像名記憶部４５ａと、画像書込制御データ発生部４５ｂと、モード判定部４５ｃ等を備えている。図９においては、第１の遷移テーブル４６に記憶されている表示書込制御テーブル４６ａ及びボタンテーブル４６ｂ、・・４６ｄを記載して説明する。
【００７６】
表示書込制御テーブル４６ａは、画像表示用メモリ４９ａの名称（番号）に表示する画像名（前画像、後画像、ビデオ、前と後ろ同時表示）と、表示範囲（全面表示、右半分と左半分）とを対応させている。
【００７７】
現状画像名記憶部４５ａは、モード判定部４５ｃが決定した現在の表示モード名（画像名）をメモリ（図示せず）に記憶する。
【００７８】
画像書込制御データ発生部４５ｂは、画像書込部４８又は前後画像書込部５２の書込開始に伴って、現状画像名記憶部４５ａに記憶された表示する画像名（ビデオ、前ミラー画像、後ミラー画像、同時表示等）を読み込み、この画像名を有する表示書込制御テーブル４６ａのレコードを引き当てる。
【００７９】
そして、このレコードの表示範囲（全面又は右半分、左半分）を読み込んで、画像書込部４８又は前後画像書込部５２に出力する。
【００８０】
モード判定部４５ｃは、パネルコントローラ３３からのタッチ座標の入力に伴って、現状画像名記憶部４５ａの現在の表示画像と比較してモードを判定する。
【００８１】
例えば、図１０に示すように、
（１）現状が電源ＯＮとなった場合で、所定の処理が終わってビデオが選択された場合はビデオ表示モードと判定する。
【００８２】
（２）現状がビデオ表示モードで、イベントがタッチの場合は、前ミラー画像モードと判定する。
【００８３】
（３）現状が前ミラー画像モードで、イベントが後ボタンの場合は、後ミラー画像モードと判定する。
【００８４】
（４）現状が前ミラー画像モードでイベントが前後同時の場合は、前後同時モードと判定する。（５）現状が前ミラー画像モードでイベントがビデオボタンの場合は、ビデオ表示モードと判定する。
【００８５】
（６）現状が後ミラー画像モードでイベントがビデオボタンの場合は、ビデオ表示モードと判定する。
【００８６】
（７）現状が後ミラー画像モードで、イベントが前ボタンの場合は、前ミラー画像モードと判定する。
【００８７】
（８）現状が前後同時モードで、イベントがビデオボタンの場合は、ビデオ表示モードと判定する。
【００８８】
（９）現状が前後同時モードで、イベントが前ボタンの場合は、前ミラー画像示モードと判定する。
【００８９】
（１０）現状が前後同時モードで、イベントが後ボタンの場合は、後ミラー画像示モードと判定する。
【００９０】
ボタン書込部４５ｄは、図１１に示すようにモード判定部４５ｃの判定結果に対応するボタンテーブル（４６ｂ、４６ｃ又は４６ｄ）を選択し、この選択したボタンテーブルにおいて、入力したタッチ座標に該当するボタンを表示用メモリ４９ａに書込み（図１１参照）、薄型テレビジョン１０の画面のボタン表示領域に表示させる。
【００９１】
ボタンテーブルは、図１２に示すように、前ミラー画像表示時における前画像用ボタンテーブル４６ｂ（図１２（ａ））と、後ミラー画像表示時における前後画像用ボタンテーブル４６ｃ（図１２（ｂ））と、前後同時表示時における前後同時表示用ボタンテーブル４６ｄ（図１２（ｃ））等からなっている。これらのボタンテーブルは、ボタン名（コード番号）にタッチパネル座標が対応づけられており、このタッチパネル座標が示す位置に該当のボタン（前画像用ボタン、後画像用ボタン、前後画像同時表ボタン（前後ボタン）等）を表示させることを可能とするものである。
【００９２】
次に、表示画像選択部４７について説明する。図１３は表示画像選択部４７の機能を説明する説明図である。
【００９３】
表示画像選択部４７は、図１３に示すように、第１の画像選択部４７ａと、第２の画像選択部４７ｂと、広角制御信号発生部４６ｃ等を備えている。広角制御信号発生部４６ｃは単独で設けてもよい。
【００９４】
第１の画像選択部４７ａは、第１の画像・ボタン遷移管理部４５の判定結果がビデオ表示を示している場合は、ビデオ再生部４１からのビデオ画像を選択して、これを画像書込部４８に出力する。
【００９５】
また、第１の画像選択部４７ａは、第１の画像・ボタン遷移管理部４５の判定結果が前画像の表示を示している場合は、前スリム化画像Ｍｓｉを選択して、これを画像書込部４８に出力する。
【００９６】
また、第１の画像選択部４７ａは、第１の画像・ボタン遷移管理部４５の判定結果が後画像の表示を示している場合は、後画像Ｂｇｉを選択して、これを画像書込部４８に出力する。
【００９７】
第２の画像選択部４７ｂは、第１の画像・ボタン遷移管理部４５の判定結果が前後同時表示モード（同時表示モードともいう）を示している場合は、前用スリム化部３９からの前画像ＺＭｓｉと後画像ＺＢｇｉのみを選択し、前画像ＺＭｓｉは前画像領域抽出部５０に出力すると共に、後画像ＺＢｇｉは後画像領域抽出部５１に出力する。
【００９８】
広角制御信号発生部４７ｃは、第１の画像・ボタン遷移管理部４５の判定結果が前後同時表示モードを示している場合は、前用ビデオカメラ１３及び後用ビデオカメラ１４に対して画角を拡大して広角側に変更させる制御信号を出力する。つまり、画角を広げて被写体Ａｉを小さく写し込むようにして、この画像を拡大して、前後画像が共に横幅５４０ピクセルの範囲（前画像は、縦ｅピクセル、横ｈピクセル：１９２０ピクセル程度で、後画像は、縦ｒピクセル、横ｓピクセル：１９２０ピクセル程度で）に収まるようにしている。
【００９９】
これは、薄型テレビジョン１０（５０インチ）の画面の横幅は、１０８０ピクセルであり、前用及び後用ビデオカメラが撮影した画像の内で不要な部分（左右端）をトリミングしても、１画面には収まりきれない。そこで、被写体の画像が小さくなるように画角を広角側に変更する制御をおこなって撮影させている。
【０１００】
画像出力部５７は、表示用メモリ４９ａ、ボタン表示用メモリ４９ｂに書き込まれた画像を一定時間毎に読み出して、両方の画像を共に薄型テレビジョン１０に出力する。
【０１０１】
すなわち、前、後用のビデオカメラのＣＣＤと、薄型テレビジョン１０の画面とは、共に縦1920ピクセルx横1080にしているので、薄型テレビジョン１０を縦型にしていても、ビデオカメラからの画像を９０°回転させたりする必要がない。つまり、余計な回転処理等を有しなくともよいので処理が早い。
【０１０２】
〔動作説明〕
上記のように構成された実施の形態１の電子ミラーシステムについて以下に動作を説明する。なお、画面に表示されているボタン（タッチ含む）の操作は店員（被写体以外の人間）が行ってもよい。このようにすると、被写体である例えば客は、店員と会話しながら希望の画像を表示させることができる。
【０１０３】
図１４は本実施の形態１の電子ミラーシステムの概略動作を説明するフローチャートである。図１５、図１６は本実施の形態１の薄型テレビジョン１０の画面に表示される画像の遷移図である。
【０１０４】
なお、本実施の形態１においては、前用ビデオカメラ１３および後用ビデオカメラ１４、前用ビデオキャプチャー３４、後用ビデオキャプチャー３５は動作しているとする。また、前用ビデオカメラ１３からの前画像Ｍａｉ（１フレーム毎）が前用ビデオキャプチャー３４によって取り込まれる毎に、この前画像Ｍａｉが前用画像バッファメモリ３７に記憶され、かつ後用ビデオカメラ１４からの後画像Ｂａｉが後用ビデオキャプチャー３５によって取り込まれる毎に、この後画像Ｂａｉが画像バッファメモリ３８に記憶される。
【０１０５】
そして、本実施の形態１においては、ビデオ画像再生部４１がＨＤＤ４２に記憶している指定のビデオ画像を再生して図１５（ａ）に示すように薄型テレビジョン１０に表示させる（Ｓ１）。
【０１０６】
このビデオ画像の表示の処理を説明する。
【０１０７】
前述のＨＤＤ４１には複数種類のビデオ画像が記憶されており、ビデオ再生部４１が電源オンに伴ってビデオメニューを画面に表示させ、いずれかのビデオを選択させる。そして、この選択されたビデオをシステム起動後の初期画面であるビデオ画像（例えば、風景、街中、ファッションショー等）として表示している。
【０１０８】
この状態で第１の画像・ボタン遷移管理部４５は、パネルコントローラ４４からタッチ座標が入力したかどうかを判定する（Ｓ２）。
【０１０９】
第１の画像・ボタン遷移管理部４５は、ビデオ表示でタッチ座標が入力した場合は、前ミラー画像示モードと判定し、この判定結果を表示画像選択部４７に出力して前ミラー画像モード処理を実行させて、図１５（ｂ）に示す前ミラー画像Ｍｉを薄型テレビジョン１０の画面に表示させる（Ｓ４）。本実施の形態においては、初めに前ミラー画像Ｍｉを表示させるのが好ましい。一般に、人間は鏡を見るときには、自分が鏡中央になるように動くので、本実施の形態でも初めは前ミラー画像を表示する。
【０１１０】
次に、このフローチャートの説明を図７を用いて補充する。
【０１１１】
前ミラー画像モードと判定したときは、第１の画像・ボタン遷移管理部４５のボタン書込部４５ｄは、第１の遷移テーブル４６の前画像用ボタンテーブル４６ｂを選択して、前後同時ボタンＤ１、後ボタンＤ２、ビデオボタンＤ３等を表示用メモリ４９ｂのボタン領域に書き込んで図１７のように前ミラー画像Ｍｉと共に前ミラー画像モード時の各種ボタンを表示する。ここまでの処理をは前ミラー画像モード処理と称する。
【０１１２】
次に、第１の画像・ボタン遷移管理部４５はボタンの選択があるかどうかを判定し、ボタンの選択がない場合は処理をステップＳ４に戻す（Ｓ５）。
【０１１３】
ボタンの選択があるかどうかの判定は、第１の画像・ボタン遷移管理部４５のモード判定部４５ｃが入力したタッチ座標がボタンテーブル４６ｂ、４６ｃ、４６ｄに存在する場合に、ボタン選択と判定する。
【０１１４】
そして、第１の画像・ボタン遷移管理部４５は、ステップＳ５において、ボタン選択と判定した場合に、そのボタンが前後同時ボタンＤ１の選択と判定したときは、前後同時表示モード処理を実行させて図１８に示すように、薄型テレビジョン１０の画面に前ミラー画像ＺＭｉと後ミラー画像ＺＢｉとを表示させる（Ｓ７）。
【０１１５】
前後同時ボタンＤ１の選択と判定について説明する。
【０１１６】
前ミラー画像Ｍｉを表示している場合は、ボタン書込部４５ｄは、前画像用ボタンテーブル４６ｂを選択しているので、タッチ座標が前画像用ボタンテーブル４６ｂに書き込まれている前後同時ボタンに対応するタッチパネル座標と一致したときに、前後同時ボタンの選択と判定する。
【０１１７】
なお、図１８（図１５（ｃ））に示す前後同時表示（同時表示モード）において、前ボタンが選択された場合は、図１５（ｄ）に示すように前ミラー画像モードにして前ミラー画像Ｍｉを表示させる（図１７参照）。
【０１１８】
また、図１８に示す前後同時表示において、後ボタンが選択された場合は、図１５（ｅ）に示すように後ミラー画像モードにして後ミラー画像Ｂｉを表示させる（図１９参照）。
【０１１９】
さらに、図１８に示す前後同時表示において、ビデオボタンが選択された場合は、図１５（ｆ）に示すようにビデオ表示モードにしてビデオ画像を表示させる。
【０１２０】
一方、ステップＳ６において、第１の画像・ボタン遷移管理部４５が後ボタンの選択と判定した場合は、図１５（ｇ）に示すように後ミラー画像Ｂｉを薄型テレビジョン１０の画面に表示する後ミラー画像モード処理を実行する（Ｓ８）。
【０１２１】
後ミラー画像Ｂｉの詳細は図１９に示している。
【０１２２】
後ミラー画像モードにおいて（図１６（ｇ）参照）、前ボタンが選択された場合は、第１の画像・ボタン遷移管理部４５は前ミラー画像Ｍｉを表示させ（図１６（ｈ）参照）、前後ボタンの選択で前後同時表示する（図１６（ｉ）参照）。さらに、ビデオボタンの選択でビデオ画像を表示する（図１６（ｊ））。
【０１２３】
なお、前後同時表示している場合は、ボタン書込部４５ｄは、前後同時用ボタンテーブル４６ｄを選択しているので、タッチ座標が前画像用ボタンテーブル４６ｄに書き込まれている後ボタンに対応するタッチパネル座標と一致したときに、後ボタンの選択と判定する。
【０１２４】
そして、終了かどうかを判断し、終了でない場合は処理をステップＳ５に戻す（Ｓ９）。
【０１２５】
次に、同時表示モード処理について説明を補充する。
【０１２６】
（前後同時表示モード処理）
図９に示す第１の画像・ボタン遷移管理部４５のモード判定部４５ｃが同時表示モードと判定した場合は、第１の画像選択部４７ａが出力を停止し、第２の画像選択部４７ｂが前画像ＺＭｓｉと、後画像ＺＢｇｉとを選択して出力する。
【０１２７】
つまり、前画像ＺＭｓｉを前画像領域抽出部５０に出力し、後画像ＺＢｇｉを後画像領域抽出部５１に出力する。
【０１２８】
このとき、広角制御信号発生部４７ｃは、同時表示モードの場合は前画像ＺＭＳｉ及び後画像ＺＢｇｉの選択よりも早く前用ビデオカメラ１３及び後用ビデオカメラ１４に対して画角を拡大させて広角側に変更させる広角制御信号を出力するのが望ましい。つまり、画角を広げて被写体Ａｉを小さく写し込むようにしている。
【０１２９】
ここで、広角制御を行なう理由を詳細に説明する。
【０１３０】
図２０は広角制御によるＣＣＤ（縦ピクセル数ｉ×横ピクセル数ｍ）に撮影される被写体の大きさを説明する説明図である。
【０１３１】
例えば被写体Ａｉがミラー部の所定位置（後と前の中央）に位置している場合において、被写体Ａｉを前及び後から撮影した場合は、例えば、図２０（ａ）、図２０（ｂ）のようにＣＣＤ上に得られる。
【０１３２】
一方、薄型テレビジョン１０は縦型であるが、その画面の横幅は、本実施の形態では１０８０ピクセルと決まっている。このため、ＣＣＤの受光面の１０８０×１９２０ピクセルの範囲を抽出して、両方を並列に組み合わせると、薄型テレビジョン１０の画面の横幅は２×１０８０ピクセル分必要になる。つまり、一度組み合わせてから両方を縮小するか、組み合わせる前に前画像と後画像との両方を縮小しないと、薄型テレビジョン１０の画面には両方を同時に見せることはできない。
【０１３３】
また、例え両方を縮小して両方を同時に画面に表示したとしても、被写体の両端、上下には背景の画像データが存在する。従って、両方を縮小した場合は、被写体の前後画像はより小さくなってしまう。
【０１３４】
そこで、画角を大きくして広角側で撮影させることで、図２０（ｃ）及び図２０（ｄ）となるように被写体Ａｉが小さくなるように撮影する。この広角制御は、例えば、前用ビデオカメラと被写体Ａｉとの距離が１ｍ程度の場合に、被写体の前画像を薄型テレビション１０の画面の全体に表示した場合に被写体のミラー画像被写体Ａｉ（人物のみ）に対して、画像の大きさが０．７５〜０．４程度の大きさになるように広角制御するのが好ましい。後画像に対しても同様である。
【０１３５】
前述の広角制御による前画像ＺＭａｉ（ｉ×ｍ）が前用ビデオキャプチャー３４によって取り込まれて画像バッファ３６に記憶されて（ＺＭａｉ）、前用スリム化部３９によってスリム化される（ＺＭｓｉ）。
【０１３６】
また、同時に広角制御による後画像ＺＢａｉが前用ビデオキャプチャー３５によって取り込まれて画像バッファメモリ３７に記憶されて、後用スリム化部４０によってスリム化される（ＺＢｓｉ）。そして、ぎらつき除去フィルタ部によってぎらつきが除去されて（ＺＢｇｉ）。
【０１３７】
そして、表示画像選択部４７の第２の画像選択部４７ｂによって前画像領域抽出部５０に前画像ＺＭｓｉが出力され、かつ後画像領域抽出部５１に後画像ＺＢｇｉが出力される。
【０１３８】
前画像領域抽出部５０及び後画像領域抽出部５１は、図２１（ａ）に示す前画像ＺＭｓｉ（ｉ×ｍ）に対して予め設定されている位置（ｉ×ｍの中心画素が望ましい）を基準にして、抽出ウインドウＴｂｉ（縦型：例えば５４０程度×１６８０ピクセル程度）をかける。この抽出ウインドウＴｂｉ（第１の所定範囲及び第２の所定範囲ともいう）の縦横ピクセル値は一例であり、例えば５２０程度×１６００ピクセル、６００程度×１７００、１８００程度であってもよい。本実施の形態では、５４０ピクセル×１６８０ピクセルとする。前述の抽出ウインドウＴｂｉは同じ大きさでもよいし、或いは前画像の方（第１の所定範囲）が大きくて、後画像の方（第２の所定範囲）が小さくともよい、もしくは逆でもよい。これは、例えば、前画像の方を大きくしてみたい場合や、後を大きくして見たい場合、あるいは、顔だけ、頭部だけを前後で見たい大きくしてみたい場合に対応できるようにするためである。抽出ウインドウＴｂｉについては、キーボード又はマウスによって抽出ウインドウ設定ボックス（図示せず）を画面に表示させて、この設定値を前画像領域抽出部５０、後画像抽出部５１又は前後画像書込部５２の図示しないメモリに設定する。
【０１３９】
そして、図２１（ｃ）、（ｄ）に示すように、この抽出ウインドウＴｂｉ内の画像データのみを抽出（人物の範囲：背景は少なくなる）する。そして、前画像領域抽出部５０及び後画像領域抽出部５１は、横幅が５４０ピクセル、かつ縦が１９２０ピクセルとなる範囲に収まるような予め設定されている所定の係数で抽出した画像データを縮小又は拡大（横ピクセルｈ×縦ピクセルｅ）して前後画像書込部５２に出力する。この画像を前画像ＺＭｔｉ、後画像ＺＢｔｉと称している。前画像に対して縮小・拡大する所定の係数は第３の所定範囲とも称し、後画像に対しての縮小・拡大する所定の係数は第４の所定範囲とも称する。
【０１４０】
前後画像書込部５２は、第１の画像・ボタン管理部４５の画像書込制御データ発生部４５ｂからの表示範囲を読み込み、この表示範囲が示す右半分の範囲（５４０ピクセル×１６８０ピクセル）に、前画像領域抽出部５０からの前画像ＺＭｔｉを書き込むと共に、画像書込制御データ発生部４５ｂからの左半分の範囲（（５４０ピクセル×１６８０ピクセル）に、後画像領域抽出部５１からの後画像ＺＢｇｉを書き込む。これによって、図２１（ｅ）に示すように前後の画像が画像表示用メモリ４９ａに共に書き込まれる。つまり、薄型テレビジョン１０の画面には前ミラー画像ＺＭｉ、後ミラー画像ＺＢｉとが共に表示される。
【０１４１】
一方、ボタン書込部４５ｄは、表示用メモリ４９ｂにおけるボタン表示領域１０ｂに、選択されたボタンテーブルに示されている前画像ボタンと、後画像ボタンと、ビデオ画像ボタンとを書き込む。
【０１４２】
そして、画像出力部５７は、表示用メモリ４９ａ、ボタン表示用メモリ４９ｂを定期的に読み込んで、書き込まれている画像に対して上記の所定の処理を施して、図１８（ｅ）に示すように前ミラー画像ＺＭｉと後ミラー画像ＺＢｉとを画面に表示する。
【０１４３】
なお、上記実施の形態では、両方のビデオカメラに対して広角制御を行なうとしたが、広角制御は任意である。
【０１４４】
広角制御を行なわない場合は、前画像領域抽出部５０、後画像領域抽出部５１は、画像を縮小し（横５４０ピクセル）、この縮小画像を、前後画像書込部５２に出力して同時表示させてもよい。
【０１４５】
なお、上記実施の形態１では、前ミラー画像と後ミラー画像とを左右に分けて表示させたが、いずれかを小さくして表示させてもよい。
【０１４６】
さらに、前画像領域抽出部５０、後画像領域抽出部５１は、予め背景を撮影（前用ビデオカメラ、後用ビデオカメラ）を撮影してこの背景画像を記憶して、前画像ＺＭａｉ又は後画像ＺＢｇｉが入力したとき、差分化処理によって被写体Ａｉの画像のみを検出し、この被写体画像がある一定の大きさになっていない場合は、収まっていない方の前画像又は横画像を撮影しているビデオカメラ（前又は後）に対して広角制御信号を出力させてもよい。このようにすると、被写体Ａｉが前用ビデオカメラと後用ビデオカメラとの間の中央に位置していなくとも、被写体の全部を含んで抽出できる。なお、被写体画像は、前後とも一定の大きさになるようにするのが好ましい。
【０１４７】
また、前用ビデオカメラと後用ビデオカメラとの間の中央にマットを置いて、そのマットに圧力センサー等を取り付けて、このマットに被写体が位置したときに、撮影を開始させてもよい。
【０１４８】
＜実施の形態２＞
図２２は実施の形態２の電子ミラーシステムの概略構成図である。図２２において、図７と同一符号のものは説明を省略する。図２２に示すように、前用スリム化部３６の後段に前用エフェクト化部６２を設ける。また、後用スリム化部３８の後段に後用エフェクト化部６３を設ける。さらに、第２の画像・ボタン遷移管理部６０及び第２の遷移テーブル６１を設けている。
【０１４９】
前述の前用エフェクト化部６２は、前画像Ｍｓｉ（ＺＭｓｉ）の一部を拡大したり、縮小等を行なう。後用エフェクト化部６３は、後画像Ｂｇｉ（ＺＢｇｉ）の一部を拡大したり、縮小等を行なう。
【０１５０】
第２の遷移テーブル６１は、エフェクトトボタンに、このエフェクトボタンに画面の座標を対応させている。これは、前述の各ボタンテーブル毎に備えている。
【０１５１】
そして、第２の画像・ボタン遷移管理部６０は、タッチ座標がエフェクトを示している場合に、図２３（ａ）に示すエフェクト機能ボタンの画面をエフェクト表示用メモリ４９ｃに書き込んで表示させる。
【０１５２】
例えば、図２３（ｂ）に示すように、ＳＬＩＭボタンの選択で画像（前又は後）を足長風にする補正を行い、これを表示させる。
【０１５３】
また、ＦＡＴボタンが選択されると肥満体系にする補正を行い、これを表示させる。
【０１５４】
また、ＨＥＡＤＦＡＴボタンが選択されると、上部（頭部）を大きくする補正を行い、これを表示させる。
【０１５５】
ＤＥＬＡＹボタンが選択されると、時間ずれさせた画像を生成して、これを表示させる。
【０１５６】
ＣＯＬＯＲボタンが選択されると、画像を２値化して白領域を判定し、その白領域を強調した画像を生成して表示させる。
【０１５７】
ＤＩＡＭＯＮＤボタンが選択されると、２値化して任意のキャラクタを合成した画像を生成して表示させる。
【０１５８】
なお、エフェクトモードにおいては、撮影ボタン、ＣＡＮＣＥＬボタン、ビデオボタン等が表示される。
【０１５９】
＜実施の形態３＞
図２４は実施の形態３の電子ミラーシステムの概略構成図である。図２４において図７と同様な符号のものは説明を省略する。また、図２４においては、図７に記載のパネルコントローラ３３、画像出力部５７、前用ビデオキャプチャー３４、後用ビデオキャプチャー３５、前用スリム化部３９、後用スリム化部４０、ビデオ再生部４１、前用画像バッファメモリ３６、後用画像バッファメモリ３７、ハードディスク４２、ぎらつき除去フィルタ部５３、前画像領域抽出部５０、後画像領域抽出部５１、第２の画像・ボタン遷移管理部６０等は省略している。
【０１６０】
そして、実施の形態３の電子ミラーシステムは、図２４に示すように、第３の画像・ボタン遷移管理部７０と、前後画像撮影・ストック・比較部７２と、前画像・撮影・ストック・比較部８６と、後画像・撮影・ストック・比較部８７と、前後用ストック領域書込部９０と、前用ストック領域書込部９１と、後用ストック領域書込部９２と、第３の遷移テーブル８１、前後ストック用画像メモリ８２とを備えている。この前後ストック用画像メモリ８２には、前述の付帯情報が記憶される。付帯情報は、表示させてもよいし、表示させなくともよい。付帯情報を表示させるか否かは予め設定すればよい。
【０１６１】
また、前ストック用画像メモリ８３と、後ストック用画像メモリ８４と、前後画像同時用の画像メモリ８５（以下同時用画像メモリ８５という）と、前静止画用の画像メモリ７８（以下前用画像メモリ７８という）と、後静止画用の画像メモリ７９（以下後用画像メモリ７９という）と、ストック領域表示用メモリ４９ｄ等を備えている。
【０１６２】
これらの、前ストック用画像メモリ８３と、後ストック用画像メモリ８４と、前後画像同時用の画像メモリ８５（以下同時用画像メモリ８５という）と、前静止画用の画像メモリ７８（以下前用画像メモリ７８という）と、後静止画用の画像メモリ７９（以下後用画像メモリ７９という）と、ストック領域表示用メモリ４９ｄには、前述の付帯情報が記憶される。付帯情報は、表示させてもよいし、表示させなくともよい。付帯情報を表示させるか否かは予め設定すればよい。
【０１６３】
なお、画像表示用メモリ４９ａと、ボタン表示用メモリ４９ｂと、エフェクト表示用メモリ４９ｃと、ストック領域表示用メモリ４９ｄを総称して表示用メモリ４９と称する。
【０１６４】
また、前後画像撮影・ストック・比較部７２と、前画像・撮影・ストック・比較部８６と、後画像・撮影・ストック・比較部８７と、同時用画像メモリ８５と、前用画像メモリ７８と、後用画像メモリ７９とを総称して画像・撮影・ストック・比較部１８０と称する。
【０１６５】
さらに、前後用ストック領域書込部９０と、前用ストック領域書込部９１と、後用ストック領域書込部９２と、前後ストック用画像メモリ８２と、前ストック用画像メモリ８３と、後ストック画像メモリ８４とを総称してストック領域書込部１１０と称する。
【０１６６】
そして、前述の構成により、図２５に示すように、撮影ボタンＤ４を選択して、撮影された前静止画像ＺＭｈｉ（又は前静止画像Ｍｈｉ：ｈは静止画像を意味する）が選択される毎に、ストック領域ＳＴにこの前静止画像ＺＭｈｉ（又はＭｈｉ）を縮小した前ストック画像ＳＺＭｋｉ（又はＳＭｋｉ；ｋは低解像度化した画像を意味する）を表示する。
【０１６７】
さらに、このストック領域ＳＴの前ストック画像ＳＺＭｋｉ（又はＳＭｋｉ）が選択されると、この前ストック画像ＳＺＭｋｉ（又はＳＭｋｉ）にリンク付けられている前静止画像ＺＭｋｉ（又はＭｋｉ）及び後静止画像ＺＢｋｉ（又はＢｋｉ）とを抽出して解像度を再現して共に表示する。
【０１６８】
前述の第３の遷移テーブルは、図２６に示すように、第３の前用ボタンテーブル８１ａと（図２６（ａ）、第３の後画像用テーブル８１ｂ（図２６（ｂ））と、第３の前後同時表示用ボタンテーブル８１ｃ（図２７（ａ））と、同時比較ボタンテーブル８１ｄ（図２７（ｂ））等を備えている。
【０１６９】
これらのテーブルは、タッチ座標にボタン名を対応させていると共に、起動する処理部を対応させている。
【０１７０】
例えば、第３の前後同時表示テーブル８１ｃは、前ボタン、後ボタン、ビデオボタン、比較ボタン、保存ボタン、撮影ボタン、エフェクトボタン、キャンセルボタン等にタッチ座標（ボタン表示領域）を対応させていると共に、起動する処理部は前後画像・撮影・ストック・比較部７２の名称を対応させている。
【０１７１】
また、同時比較ボタンテーブル８１ｄは、前後同時比較ボタン（同時比較ボタン）、前のみ比較ボタン（前比較ボタン）、後のみ比較ボタン（後比較ボタン）にタッチ座標を対応させている。
【０１７２】
第３の画像・ボタン遷移管理部７０は、第１の画像・ボタン遷移管理部４５、第２の画像・ボタン遷移管理部６０が判定したモードに基づいて、前後画像・撮影・ストック・比較部７２、前画像・撮影・ストック部８６又は後画像・撮影・ストック比較部８７を起動させる。
【０１７３】
また、第３の画像・ボタン遷移管理部７０は、モード判定部４５ｃが判定した表示モードに対応するボタンテーブル引き当て、このボタンテーブルのボタンをボタン用表示メモリ４９ｂに書き込んで表示させる。
【０１７４】
例えば、前ミラー画像モードと判定された場合は、第３の画像用ボタンテーブル８１ａを、後ミラー画像モードと判定した場合は、第３の後画像用ボタンテーブル８１ｂを、前後同時表示モードと判定した場合は、第３の同時表示用ボタンテーブル８１ｃを引き当て、これをボタン用表示メモリ４９ｂに書き込みして表示させる。
【０１７５】
図２８（ａ）には、前後同時表示モードにおいて表示されるボタン（撮影ボタン、ビデオボタン、ストックボタン、同時比較ボタン）を示し、このボタンの選択で決定されるモード（前後同時撮影モード、ビデオ表示モード、同時ストックモード、同時比較モード）を示している。
【０１７６】
図２８（ｂ）には同時撮影モードで起動されるボタンテーブル名と処理部（前後画像静止画化部）とを示している。
【０１７７】
図２８（ｃ）には同時ストックモードで起動されるボタンテーブル名と処理部（前後画像ストック部）とを示している。
【０１７８】
図２８（ｄ）には同時比較モードで起動されるボタンテーブル名と処理部（前後画像比較部）とを示している。
【０１７９】
また、図２９には、前撮影モード、後撮影モード、前ストックモード、前比較モード、後比較モードにおけるボタンテーブルと該当の処理部を示している。
【０１８０】
次に、図３０を用いてストック用画像メモリについて説明する。図３０（ａ）には前後ストック用画像メモリ８２のデータを記載している。
【０１８１】
前後ストック用画像メモリ８２は、図３０（ａ）に示すように、ストック用ファイル番号ＳＴｆｉと、表示するストック領域座標ＳＴＧｉと、ストック番号Ｓｇｉと、このストック領域座標ＳＴＧｉに表示された前ストック画像ＳＺＭｋｉと、前ストック画像ＳＺＭｋｉに対応する前画像のファイル番号Ｍｆｉと、後画像のファイル番号Ｂｆｉと、後ストック画像ＳＺＢｋｉを対応させたレコードで記憶している。レコードの各データは、後述する前後画像・撮影・ストック・比較部７２によって生成される。
【０１８２】
前ストック用メモリ８３は、図３０（ｂ）に示すように、ストック用ファイル番号ＳＴｆｉと、ストック領域ＳＴの座標ＳＴＧｉと、ストック番号Ｓｇｉと、前ストック画像のファイル番号Ｍｆｉと、前ストック画像ＳＭｋｉ間からなるレコードが生成される。これらのレコードは、後述する前画像・撮影・ストック・比較部８６によって生成される。
【０１８３】
後ストック用メモリ８４は、図３０（ｃ）に示すように、ストック用ファイル番号ＳＴｆｉとストック領域ＳＴのストック座標ＳＴＧｉと、ストック番号Ｓｇｉと、後画像のファイル番号Ｂｆｉと、後ストック画像ＳＢｋｉとからなるレコードが生成される。これらのレコードは、後述する後画像・撮影・ストック・比較部８７によって生成される。
【０１８４】
また、図３１に同時用画像メモリ８５、前用画像メモリ７８、後用画像メモリ７９のデータを説明する。
【０１８５】
図３１（ａ）に示すように同時用画像メモリ８５は、前静止画像ＺＭｋｉのファイル番号Ｍｆｉと、このファイル番号Ｍｆｉに対応する前静止画像ＺＭｋｉと、後静止画像ＺＢｋｉのファイル番号Ｂｆｉと、このファイル番号Ｂｆｉに対応する後静止画像ＺＢｋｉとが対応させられたレコードにされている。
【０１８６】
図３１（ｂ）に示すように、前用画像メモリ７８は、前静止画像Ｍｋｉのファイル番号Ｍｆｉと、このファイル番号Ｍｆｉに対応する前静止画像Ｍｋｉとが対応させられたレコードにされている。
【０１８７】
図３１（ｃ）に示すように、後用画像メモリ７９は、後静止画像Ｂｋｉのファイル番号Ｂｆｉと、このファイル番号Ｂｆｉに対応する前静止画像Ｂｋｉとが対応させられたレコードにされている。
【０１８８】
（各部の説明）
第３の画像・ボタン遷移管理部７０は、第１の画像・ボタン遷移管理部４５が前ミラー画像モードと判定している場合には、図２６（ａ）に示す第３の前画像用ボタンテーブル８１ａを引き当て、タッチ座標ＴＧｉが撮影ボタンＤ４、ストックボタンＤ６、比較ボタンＤ５・・を示している場合は、前画像・撮影・ストック・比較部８６を起動させる。
【０１８９】
また、第１の画像・ボタン遷移管理部４５が後ミラー画像モードとしている場合には、図２６（ｂ）に示す第３の後画像用ボタンテーブル８１ｂを引き当て、タッチ座標ＴＧｉが撮影ボタンＤ４、ストックボタンＤ６、比較ボタンＤ５・・を示している場合は、後画像・撮影・ストック・比較部８７を起動させる。
【０１９０】
さらに、第１の画像・ボタン遷移管理部４５が同時ミラー画像モードとしている場合には、図２７（ａ）に示す第３の前後同時表示ボタンテーブル８１ｃを引き当て、タッチ座標が撮影ボタン、ストックボタン、比較ボタン・・を示している場合は、同時画像・撮影・ストック・比較部７２を起動させる。
【０１９１】
（前後画像・撮影・ストック・比較部７２の説明）
図３２は前後画像・撮影・ストック・比較部７２の概略構成図である。
【０１９２】
図３２に示すように、前後画像・撮影・ストック・比較部７２は、前後画像静止化部７２ａと、前後同時ストック部７２ｂと、前用ファイル番号発生部７２ｃと、後用ファイル番号発生部７２ｄと、ストック番号発生部７２ｅと、前後画像比較部７２ｆ等を備えている。
【０１９３】
前後画像静止化部７２ａは、第３の画像・ボタン遷移管理部７０が前後モードで撮影ボタンの選択と判定したときに起動する。
【０１９４】
この起動に伴って、前画像ＺＭｔｉ（１フレーム）と後画像ＺＢｇｉとを読み込んで、同時表示用メモリ８５に記憶すると共に、表示画像選択部４７に対して画像出力停止信号を送出する。前述の同時表示用メモリ８５への保存は、それぞれの解像度を２０％程度低下させて保存する（前静止画像ＺＭｋｉ、後静止画像ＺＢｋｉ）。
【０１９５】
このとき、前後画像静止化部７２ａは、前用ファイル番号発生部７２ｃ及び後用ファイル番号発生部７２ｄを起動して、前静止画像ＺＭｋｉ及び後静止画像ＺＢｋｉに対して前用ファイル番号発生部７２ｃからのファイル番号Ｍｆｉと、後用ファイル番号発生部７２ｄからのファイル番号Ｂｆｉとをリンク付けして同時用画像メモリ８５に保存（前後静止画情報ともいう）する（図３１参照）。
【０１９６】
そして、前後画像静止画化部７２ａは、同時表示用画像メモリ８５に保存された前画像ＺＭｋｉ及び後画像ＺＢｋｉの解像度を再現する（１００％再現）。そして、これを前静止画像ＺＭｈｉ、後静止画像ＺＢｈｉとして前後画像書込部５４に送出して画像表示用メモリ４９ａに書き込みさせて薄型テレビジョン１０の画面に両方を表示させる。
【０１９７】
前後同時ストック部７２ｂは、第３の画像・ボタン遷移管理部７０が前後同時表示モードでストックボタン（ＳＴＯＣＫ）の選択と判定したときに起動する。
【０１９８】
前後同時ストック部７２ｂは起動に伴って、現在表示している前静止画像ＺＭｈｉの解像度低下させて縮小してストック領域ＳＴに表示させると共に、同時表示されている後静止画像ＺＢｈｉを前静止画像ＺＭｈｉにリンク付けさせて記憶させる。
【０１９９】
つまり、同時用画像メモリ８５に記憶されている前静止画像ＺＭｋｉと、この前静止画像ＺＭｋｉにリンク付けされている後静止画像のファイル番号Ｂｉｆを有する後静止画像ＺＢｋｉとを読み込む。そして、ストック番号発生部７２ｅを起動させて、ストックファイル番号ＳＴｆｉと、同時用画像メモリ８５の前静止画像ＺＭｋｉのファイル番号Ｍｆｉと、後静止画像ＺＢｋｉのファイル番号Ｂｉｆと、ストック領域の座標ＳＴｇｉと、後述するストック番号Ｓｇｉとをリンク付けして前後ストック用メモリ８２に記憶する（前後画像ストック情報ともいう）。
【０２００】
そして、前後同時ストック部７２ｂは、前後ストック用メモリ８２に今回記憶された前静止画像のファイル番号Ｍｉｆを有する前静止画像ＺＭｋｉを同時用画像メモリ８５から読み込んで、ストック座標ＳＴＧｉと共に、前後ストック領域書込部９０に渡して、ストック領域ＳＴに前ストック画像ＳＺＭｋｉのみを表示させる。このとき、前後ストック領域書込部９０は、ストック領域ＳＴに前ストック画像ＳＺＭｋｉを表示したときには、そのストック番号Ｓｇｉを発生させて、前後ストック用メモリ８２に対応させて記憶させる。また、このとき、第３の画像・ボタン遷移管理部７０は、同時表示モードに切換えさせている。
【０２０１】
一方、前後画像比較部７２ｆは、前後同時比較処理７２ｆａ、前比較処理７２ｆｂ、後比較処理７２ｆｃ、表示枠作成処理７２ｆｄ等を備えている。
【０２０２】
表示枠作成処理７２ｆｄは、前後同時比較処理７２ｆａ、前比較処理７２ｆｂ又は後比較処理７２ｆｃの起動に伴って複数個の格子を有する比較枠Ｒｉを表示させる。
【０２０３】
前後同時比較処理７２ｆａは、第３の画像・ボタン遷移管理部７０が前後同時表示モードで前後同時比較ボタン（両方比較）と選択した場合に起動する。
【０２０４】
前後同時比較処理７２ｆａは、起動に伴って、ストック領域ＳＴに表示されている前ストック画像ＳＺＭｋｉが選択される毎に、この前ストック画像ＳＺＭｋｉにリンクつけされている後画像ＺＢｋｉのファイル番号Ｂｆｉ及び前静止画像ＺＭｋｉのファイル番号Ｍｆｉを前後ストック用メモリ８２から読み出す。
【０２０５】
そして、このファイル番号Ｍｆｉを有する前静止画像ＺＭｋｉを同時用画像メモリ８５から読み出すと共に、ファイル番号Ｂｆｉを有する後静止画像ＺＢｋｉを同時用画像メモリ８５から読み出して薄型テレビジョン１０の比較枠Ｒｉに並列表示させる。このとき、前後画像比較部７２ｆは、比較枠Ｒｉの座標Ｊｉ（右格子座標ｊａ、左格子座標ｊｂ）を求めて前後画像書込部５２に共に送出する。この座標Ｊｉ（右格子座標ｊａ、左格子座標ｊｂ）は、格子の番号に対応するものである。
【０２０６】
前比較処理７２ｆｂは、前比較処理７２ｆｂは、第３の画像・ボタン遷移管理部７０が前後表示モードで前比較ボタン（前のみ比較）と選択した場合に起動する。
【０２０７】
前比較処理７２ｆｂは、起動に伴って、ストック領域ＳＴに表示されている前ストック画像ＳＺＭｋｉが選択される毎に、この前ストック画像ＳＺＭｋｉにリンクつけされている前静止画像ＺＭｋｉのファイル番号Ｍｆｉを前後ストック用メモリ８２から読み出す。
【０２０８】
そして、このファイル番号Ｍｆｉを有する前静止画像ＺＭｋｉを同時用メモリ８５から読み出して薄型テレビジョン１０の比較枠Ｒｉに並列表示させる。このとき、前後画像比較部７２ｆは、比較枠Ｒｉの座標Ｊｉを求めて前後画像書込部５２に共に送出する。
【０２０９】
例えば、初めに選択されたストック画像ＺＭｋｉは右格子に、次に選択されたストック画像ＺＭｋｉは左格子に表示させる。
【０２１０】
後比較処理７２ｆｃは、第３の画像・ボタン遷移管理部７０が前後表示モードで後比較ボタン（後のみ比較）と選択した場合に起動する。
【０２１１】
後比較処理７２ｆｃは、起動に伴って、ストック領域ＳＴに表示されている前ストック画像ＳＺＭｋｉが選択される毎に、この前ストック画像ＳＺＭｋｉにリンクつけされている後静止画像ＺＢｋｉのファイル番号Ｂｆｉを前後ストック用メモリ８２から読み出す。そして、このファイル番号Ｂｆｉを有する後静止画像ＺＢｋｉを同時用メモリ８５から読み出して薄型テレビジョン１０の比較枠Ｒｉに並列表示させる。このとき、比較枠Ｒｉの座標Ｊｉを求めて前後画像書込部５２に共に送出する。
【０２１２】
例えば、初めに選択されたストック画像ＺＢｋｉは右格子に、次に選択されたストック画像ＺＢｋｉは左格子に表示させる。
【０２１３】
（前画像・撮影・ストック比較部８６）
前画像・撮影・ストック比較部８６は、表示モードが前ミラー画像モードで撮影ボタンの選択と判断した場合に起動する。
【０２１４】
前画像・撮影・ストック比較部８６は、起動に伴って、前画像Ｍｓｉ（１フレーム）を読み出して、解像度を低下させ（−２０％）させて前静止画像Ｍｋｉとして前画像用メモリ７８に保存する。このとき、前用ファイル番号発生部７２ｃを起動させてファイル番号Ｍｆｉと共に前静止画像用メモリ７８に記憶する。
【０２１５】
そして、前静止用メモリ７８の前静止画像Ｍｋｉ（Ｍｆｉ付き）を画像書込部４８に渡して表示用メモリ４９ａに書込みさせて、前静止画像Ｍｈｉを表示させる。
【０２１６】
また、前画像・撮影・ストック比較部８６は、第３の画像・ボタン遷移管理部７０が前ミラー画像モードでストックボタンが選択されたと判定した場合は、前静止画像Ｍｈｉ（画面タッチ）のファイル番号Ｍｆｉを有する前静止画像Ｍｋｉを前画像用メモリ７８から読み出して、ストック領域に表示するストック座標ＳＴｇｉを求めて、このＳＴＧＩに読み出した前静止画像Ｍｋｉを前ストック画像ＳＭｋｉとして、ファイル番号Ｍｆｉ及びＳＴＧｉにリンク付けして前ストック用メモリ８３に保存する（ＳＴｇｉ、ＳＭｋｉ、Ｍｆｉ、Ｓｇｉ：以下総称して前ストック画像情報という）。
【０２１７】
そして、このストック画像情報をストック領域書込部９０に送出してストック領域表示用メモリ４９ｄに書込みさせてストック領域ＳＴに表示させる。
【０２１８】
また、前画像・撮影・ストック比較部８６はが前ミラー画像モードで比較ボタンが選択されたと判定した場合は、複数個の格子を有する比較枠Ｒｉを表示させて、ストック領域ＳＴに表示されている前ストック画像ＳＭｋｉが選択される毎に、この前ストック画像ＳＭｋｉにリンクつけされているファイル番号Ｍｆｉを有する前静止画像Ｍｋｉを前用画像メモリ８３から読み出して比較枠Ｒｉに並列表示させる。
【０２１９】
（後画像・撮影・ストック比較部）
後画像・撮影・ストック比較部８７は、表示モードが前ミラー画像モードで撮影ボタンの選択と判断した場合に起動する。
【０２２０】
前画像・撮影・ストック比較部８７は、起動に伴って、後画像Ｂｓｉ（１フレーム）を読み出して、解像度を低下させ（−２０％）させて後静止画像Ｂｋｉとして後用画像メモリ７９に保存する。このとき、後用ファイル番号発生部を起動させてファイル番号Ｂｆｉと共に後用画像メモリ７９に記憶する。
【０２２１】
そして、後用画像メモリ７９の後静止画像Ｂｋｉの解像度を復元（１００％）して画像書込部４８に渡して（Ｂｈｉ付き）、表示用メモリ４９ａに書込みさせて、後静止画像Ｂｈｉを表示させる。
【０２２２】
また、後画像・撮影・ストック比較部８７は、第３の画像・ボタン遷移管理部７０が前ミラー画像モードでストックボタンが選択されたと判定した場合は、後静止画像Ｂｈｉ（画面タッチ）のファイル番号Ｂｆｉを有する後静止画像Ｂｋｉを後用画像メモリ７９から読み出して、ストック領域に表示するストック座標ＳＴｇｉを求めて、このＳＴＧｉに、読み出した後静止画像Ｂｋｉを前ストック画像ＳＢｋｉとして、ファイル番号Ｂｆｉ及びＳＴＧｉにリンク付けして後ストック用メモリ８４に保存する（ＳＴｇｉ、ＳＢｋｉ、Ｂｆｉ、Ｓｇｉ：以下総称して後ストック画像情報という）。
【０２２３】
そして、この後ストック画像情報をストック領域書込部９０に送出してストック領域表示用メモリ４９ｄに書込みさせてストック領域ＳＴに表示させる。
【０２２４】
また、後画像・撮影・ストック比較部８７は、後ミラー画像モードで比較ボタンが選択されたと判定した場合は、複数個の格子を有する比較枠Ｒｉを表示させて、ストック領域ＳＴに表示されている後ストック画像ＳＢｋｉが選択される毎に、この後ストック画像ＳＢｋｉにリンクつけされているファイル番号Ｂｆｉを有する後静止画像Ｂｋｉを後用画像メモリ８４から読み出して比較枠Ｒｉに並列表示させる。
【０２２５】
（動作説明）
上記のように構成された実施の形態３の電子ミラーシステムについて以下に動作を説明する。
【０２２６】
図３３は第３の実施の形態の電子ミラーシステムの動作を説明するフローチャートである。本実施の形態では第３の画像・ボタン遷移管理部７０が同時表示モードと判定して図３５に示すように前ミラー画像ＺＭｉ（ＺＭｔｉ）、後ミラー画像ＺＢｉ（ＺＢｇｉ）並びに各種ボタンを薄型テレビジョン１０の画面に同時に表示させているとして説明する。
【０２２７】
図３３に示すように、第３の画像・ボタン遷移管理部７０は、各部を動作状態にして現在の表示モードを判定する（Ｓ３０２：初期設定）。
【０２２８】
次に、第３の画像・ボタン遷移管理部７０はステップＳ３０２においての判定結果が前後同時表示モードかどうかを判定する（Ｓ３０３）。
【０２２９】
ステップＳ３０３において、第３の画像・ボタン遷移管理部７０は前後同時表示モードと判定した場合は、第３の前後同時表示テーブル８１ｃ（図２７（ａ））を引き当て、タッチ座標ＴＧｉの入力かどうかを判定する（Ｓ３０５）。
【０２３０】
ステップＳ３０５において、タッチ座標ＴＧｉの入力と判定した場合は、そのタッチ座標ＴＧｉと第３の前後同時表示テーブル８１ｃと比較して撮影ボタンかどうかを判定する（Ｓ３０７）。
【０２３１】
具体的には、第３の画像・ボタン遷移管理部７０は第３の前後同時表示用ボタンテーブル８１ｃ（図２６（ｃ））を引き当て、入力したタッチ座標ＴＧｉと第３の前後同時表示用ボタンテーブル８１ｃと比較して、撮影ボタンに対応する座標と一致した場合は、前後同時表示モードでの撮影ボタンと判定する。
【０２３２】
ステップＳ３０７において、撮影ボタンの選択と判定した場合は、第３の画像・ボタン遷移管理部７０は前後画像・撮影・ストック・比較部７２を起動させて前ミラー画像ＺＭｔｉ及び後ミラー画像ＺＢｇｉを撮影する処理を実行（前静止画像ＺＭｈｉ、後静止画像ＺＢｈｉを表示する：図３７参照）する（Ｓ３０９）。
【０２３３】
この同時撮影処理について図３４のフローチャートを用いて説明する。
【０２３４】
前後画像・撮影・ストック・比較部７２は、前画像ＺＭｔｉ（１フレーム）と後画像ＺＢｇｉとを読込む（Ｓ３４１ａ、Ｓ３４１ｂ）。
【０２３５】
次に、同時用画像メモリ８５にそれぞれの解像度を２０％程度低下させて保存（前静止画像ＺＭｋｉ、後静止画像ＺＢｋｉ）する（Ｓ３４３ａ、Ｓ３４３ｂ）。このとき、前後画像静止化部７２ａは、前用ファイル番号発生部７２ｃ及び後用ファイル番号発生部７２ｄを起動して、前静止画像ＺＭｋｉ及び後静止画像ＺＢｋｉに対して前用ファイル番号発生部７２ｃからのファイル番号Ｍｆｉと、後用ファイル番号発生部７２ｄからのファイル番号Ｂｆｉ等とをリンク付けして保存する（Ｓ３４５ａ、３４５ｂ）。
【０２３６】
そして、前後画像静止画化部７２ａは、同時用画像メモリ８５に保存された前画像ＺＭｋｉ及び後画像ＺＢｋｉの解像度を再現（１００％再現）する（Ｓ３４７ａ、Ｓ３４７ｂ）。
【０２３７】
次に、この前静止画像ＺＭｈｉ、後静止画像ＺＢｈｉを前後画像書込部５４に送出する（Ｓ３４９ａ、Ｓ３４９ｂ）。
【０２３８】
そして、終了かどうかを判断し、終了でない場合は処理をステップＳ３４１ａ、Ｓ３４１ｂに戻す（Ｓ３５１ａ、Ｓ３５１ｂ）。
【０２３９】
一方、前後画像書込部５２は、第１の画像・ボタン管理部４５の画像書込制御データ発生部４５ｂからの表示範囲を読み込み、この表示範囲が示す右半分の範囲（縦５４０ピクセル程度×横１０８０ピクセル程度）に、前静止画像ＺＭｈｉを書き込むと共に、画像書込制御データ発生部４５ｂからの左半分の範囲（（縦５４０ピクセル程度×横１０８０ピクセル程度）に、後静止画像ＺＢｈｉを書き込む。
【０２４０】
そして、画像出力部が画像表示用メモリ４９ａ及びボタン表示用メモリ４９ｂ並びにエフェクト表示用メモリ４９ｃを定期的に読み込んで、図３６に示すように薄型テレビジョン１０の画面に両方を表示する。
【０２４１】
一方、ステップＳ３０７において、第３の画像・ボタン遷移管理部７０は撮影ボタンではないと判定した場合は、ストックボタンの選択かどうかを判定する（Ｓ３１１）。
【０２４２】
ステップＳ３１１において、第３の画像・ボタン遷移管理部７０がストックボタンと判定した場合は、前後画像・撮影・ストック・比較部７２は、前静止画像ＺＭｈｉ（ＺＭｋｉ）のみをストック領域に保存するストック処理（図３７参照）を実行する（Ｓ３１３）。
【０２４３】
具体的には、前後同時ストック部７２ｂは、同時用メモリ８５に記憶されている前静止画像ＺＭｋｉと、この前静止画像ＺＭｋｉにリンク付けされている後静止画像のファイル番号Ｂｉｆを有する後静止画像ＺＢｋｉとを読み込む。
【０２４４】
そして、ストック番号発生部７２ｅを起動させて、ストックファイル番号ＳＴｆｉと、同時用メモリ８５の前静止画像ＺＭｋｉのファイル番号Ｍｆｉと、後静止画像ＺＢｋｉのファイル番号Ｂｉｆと、ストック領域の座標ＳＴｇｉ等をリンク付けして前後ストック用メモリ８２に記憶する。
【０２４５】
そして、前後同時ストック部７２ｂは、前後ストック用メモリ８２に今回記憶された前静止画像のファイル番号Ｍｉｆを有する前静止画像ＺＭｋｉを同時用画像メモリ８５から読み込んで、ストック座標ＳＴＧｉと共に、前後ストック領域書込部９０に渡して、図３７に示すように、ストック領域ＳＴに前ストック画像ＳＺＭｋｉのみを表示させる。
【０２４６】
図３７のストック領域ＳＴには、前静止画像ＺＭｈ１、後静止画像ＺＢｈ１を組とする同時表示画像をストックさせたときの、ストック画像ＳＭｋ１を表示している。また、前静止画像ＺＭｈ２、後静止画像ＺＢｈ２を組とする同時表示画像をストックさせたときの、ストック画像ＳＭｋ２を表示している。
【０２４７】
さらに、前静止画像ＺＭｈ３、後静止画像ＺＢｈ３を組とする同時表示画像をストックさせたときの、ストック画像ＳＭｋ３を表示している。
【０２４８】
一方、第３の画像・ボタン遷移管理部７０がステップＳ３１１において、ストックボタンの選択ではないと判定した場合は、比較ボタンの選択かどうかを判定する（Ｓ３１５）。
【０２４９】
ステップＳ３１５において、比較ボタンの選択と判定した場合は、第３の画像・ボタン遷移管理部７０は、同時比較ボタンテーブル８１ｄ（図２７（ｂ）参照）を引き当て、図３８に示すように、各種比較ボタンを表示させる（前後同時比較ボタン（同時比較ボタン））と、前比較ボタンと、後比較ボタンと、全比較ボタン等）を表示させる（Ｓ３１７）。
【０２５０】
前比較ボタンは、前だけを比較させるボタンであり、後比較ボタンは後ろだけの画像を比較ささせるボタンであり、全比較ボタンは、全ての前画像又は後画像をサムネイル表示させるボタンである。
【０２５１】
次に、同時比較ボタンが選択されたかどうかを判定する（Ｓ３１９）。ステップＳ３１９において、同時比較ボタンが選択されたと判定した場合は、同時比較処理を実行する（Ｓ３２１）。
【０２５２】
この同時比較処理について具体的に説明する。
【０２５３】
前後画像比較部７２ｆの表示枠作成処理７２ｆｄは、起動に伴って図３９に示す複数個の格子を有する比較枠Ｒｉを前後画像書込部５２によって表示させる。本実施の形態では例えば図３９に示すように９枠の比較枠Ｒｉを作成して、この枠情報（９枠、各枠の大きさ、格子番号（右格子座標Ｊａｉ：格子番号に対応する）、左格子座標（Ｊｂｉ：格子番号に対応する））を前後画像書込部５２に送出する。
【０２５４】
前後画像書込部５２は、枠情報に基づく表示枠を画像表示用メモリ４９ａに書き込む。この枠情報は、前後画像比較部７２ｆ及び前後画像書込部５２がメモリに保存して管理している。
【０２５５】
なお、比較枠Ｒｉは、２格子枠、４格子枠、・・６枠、９枠、１０格子枠、１２格子枠・・２４格子枠、１６格子枠、・・・・であってもかまわない。
【０２５６】
次に、前後同時比較処理７２ｆａは、ストック領域ＳＴに表示されている前ストック画像ＳＺＭｋｉが選択（タッチ）される毎に、この前ストック画像ＳＺＭｋｉにリンクつけされている後画像ＺＢｋ１のファイル番号Ｂｆ１及び前静止画像ＺＭｋ１のファイル番号Ｍｆ１を前後ストック用メモリ８２から読み出す。
【０２５７】
そして、このファイル番号Ｍｆ１を有する前静止画像ＺＭｋ１を同時用画像メモリ８５から読み出すと共に、ファイル番号Ｂｆ１を有する後静止画像ＺＢｋ１を同時用画像メモリ８５から読み出す。
【０２５８】
このとき、前後画像比較部７２ｆは、比較枠Ｒｉの座標Ｊｉ（右格子座標ｊａｉ、左格子座標ｊｂｉ：ｉ＝１、２、３、．．）を求めて前後画像書込部５２に共に送出する。
【０２５９】
このような処理をストック領域の前ストック画像ＳＺＭｋ１、ＳＺＭｋ２、ＳＺＭｋ３、・・・が選択される毎に実施している。
【０２６０】
この結果、図３９に示すように、ストック領域に表示されている複数の前ストック画像に対応する前ストック画像と後ストック画像とが拡大されて並列に順次表示される。
【０２６１】
従って、ストック領域の画像を一目で前画像と後画像とで比較できる。
【０２６２】
さらに、拡大ボタンを選択して、比較枠のいずれかの格子を選択（タッチ）した場合は、図３８に示すように前静止画像ＺＭｈｉ、後静止画像ＺＢｈｉを表示する。
【０２６３】
具体的には、拡大ボタンの選択と第３の画像・ボタン遷移管理部７０が判定した場合は、選択された枠情報の格子番号（例えば右格子座標Ｊａ１）にリンク付けされているファイル番号を有する前静止画像ＺＭｋ１を同時用画像メモリ８５から読み込み、この前静止画像の解像度を１００％再現して前後画像書込部５２に渡して前静止画像ＺＭｈｉを表示させる（図４０参照）。
【０２６４】
また、比較枠Ｒｉの最上段の左格子が選択された場合は、格子番号（例えば右格子座標Ｒｂ１）にリンク付けされているファイル番号を有する後静止画像ＺＢｋ１を同時用画像メモリ８５から読み込み、この後静止画像の解像度を１００％再現して前後画像書込部５２に渡して後静止画像Ｚｂｈｉを表示させる（図４０参照）。
【０２６５】
さらに、全比較が選択された場合は、サムネイル枠（２０格子程度の枠）を表示させて、同時用画像メモリ８５に保存されている全ての前画像と後画像の組を読み出して、例えば１０組ごとにサムネイル枠に表示させる。
【０２６６】
一方、前比較又は後のみ比較ボタンが選択された場合については同時用メモリ８５の画像を読み出して、前画像・撮影・ストック比較処理部９１、後画像・撮影・ストック部９２の処理と同様な処理を実行する。
【０２６７】
（前画像・撮影・ストック比較処理部）
前画像・撮影・ストック比較処理部９１の動作を図４１を用いて説明する。
【０２６８】
第１の画像・ボタン遷移管理部４５は、電源をオンに伴って表示画像選択部４７をビデオ画像の選択して、ビデオ画像を表示させる（図４１の（ａ）参照）。
【０２６９】
そして、タッチされた場合は、ビデオ再生処理を終了し、前ミラー画像モードと判定して表示画像選択部４７に前画像Ｍｓｉを選択させて、この前画像を画面に表示すると共に、所定のボタンを表示させる（図４１（ｂ）。本実施の形態では、ストック、比較、ビデオ、ＳＨＯＯＴ（撮影）、ＡＬＬ  ＶＩＥＷボタン（サムネイル）等を表示する。
【０２７０】
そして、ＳＨＯＯＴボタンが選択された場合は、前画像・撮影・ストック比較処理部９１が第３の画像・ボタン遷移管理部７０によって起動させられる。
【０２７１】
前画像・撮影・ストック比較処理部９１は、図４１（ｃ）に示すように、撮影画像（前静止画像）を表示させる。
【０２７２】
一方、エフェクトボタンが選択された場合は、第２の画像ボタン遷移管理部によって、図４１（ｄ）に示すようにエフェクト画像を表示させる。
【０２７３】
さらに、前画像・撮影・ストック比較処理部９１はＳＴＯＣＫボタンと判断したときは、撮影モード時のボタンを破棄して、現時点の前ミラー画像に対応する前静止画をストック領域に表示する。
【０２７４】
ＣＡＮＣＥＬボタンの選択と判定したときは、撮影モード時のボタンを破棄すると共に、ＣＡＮＣＥＬ指示された静止画をメモリ７８から削除する。
【０２７５】
一方、比較ボタンが押され、その比較ボタンが押されたと判断した場合は、図４１（ｆ）に示す比較枠を表示してストック領域において選択されば前ストック画像を比較枠の格子内に表示する。
【０２７６】
さらに、ＡＬＬ  ＶＩＥＷが選択された場合は、メモリから全ての前静止画を読み込み、これをサムネイル表示する（図４１（ｇ））。
【０２７７】
＜実施の形態４＞
上記のようなシステムは、例えば洋服店、和服店においての一例として説明したが、図４２に示すように、美容院、帽子店においても使用できる。図４２においては、後用ビデオカメラとしてドームカメラ２６ｂを天井に設ける。又は、被写体Ａｉの真後ろに後用ビデオカメラ２６を設ける。
【０２７８】
また、薄型テレビジョンは、３２インチ、４０インチ程度にしている。また、ミラー部１２の上又は左若しくは右に前用のビデオカメラを設ける。
【０２７９】
これによって、美容院においても、前ミラー画像と後ミラー画像の組合せ画像或いは前静止画像と後静止画像の組合せ、若しくは前ミラー画像（前静止画像）のみ、或いは後ミラー画像（後静止画像）が薄型テレビジョン１０に表示される。
【０２８０】
また、椅子に座ったときに、髪を切る前の前画像と後画像とをストックして記憶して、終わった時点で、比較枠に表示して髪を切る前と後の画像とを比較させてもよい。
【０２８１】
＜実施の形態５＞
図４３は実施の形態５の電子ミラーシステムの概略構成図である。図４３において、上記各実施の形態と同一符号を記しているものについては説明を省略する。
【０２８２】
また、パネルコントローラ３３、画像出力部５７、前用ビデオキャプチャー３４、後用ビデオキャプチャー３５、前用スリム化部３９、後用スリム化部４０、ビデオ再生部４１、前用画像バッファ３６、後用画像バッファ３７、ハードディスク４２、ぎらつき除去フィルタ部５３、前画像領域抽出部５０、後画像領域抽出部５１、第２の画像・ボタン遷移管理部６０等は省略している。
【０２８３】
図４３に示すように、被写体Ａｉの一部（本実施の形態では足部）を撮影するためのビデオカメラ１０１（以下部分用ビデオカメラ１０１という）を備えている。この部分用ビデオカメラ１０１は、ケーブル１０２によって、本体部２０にコネクタ３０ｆを介して本体部２１に接続されている。また、部分用ビデオカメラ１０１は、撮影方向が足部を撮影するように、ミラー側の壁等に１５〜２０ｃｍ程度の高さで埋め込まれている。さらに、部分用ビデオカメラ１０１は、足部のみを撮影する視野角にされ、そのＣＣＤの受光面は６４０ピクセル×４８０ピクセル程度のものが用いられている。
【０２８４】
一方、本体部２１は、表示画像選択部１４７と、部分画像記憶・再生部１２１と、部分画像書込部１０３と、部分画像ボタン管理部１０４と、ビデオキャプチャー７１等を備えている。
【０２８５】
さらに、表示用メモリ部４９には、部分用表示メモリ４９ｅを備えて、足部の画像（以下足部画像ＤＧｉという）を薄型テレビジョン１０に表示する。
【０２８６】
部分画像ボタン管理部１０４は、足部の画像を表示させるための部分画像ボタン名（部分ボタン）を表示させるためのパネル座標を対応させたテーブル（部分画像用ボタンテーブル：図示せず）を有している。また、前ミラー画像モード、後ミラー画像モード又は前後同時ミラーモード等において、部分ボタンをボタン領域に表示させる。そして、部分ボタンが選択された場合は、表示画像選択部１４７及び部分画像書込部１０３に対して部分ボタンの選択を知らせる。
【０２８７】
表示画像選択部１４７は、上記と同様な機能を有すると共に、部分ボタンが選択されたときは、足部用の画像（部分画像ＧＤｉ）を、Ｍｓｉ又はＢｇｉ若しくはＭｓｉとＢｇｉと共に選択し、部分画像ＧＤｉを部分画像書込部１０３に出力する。
【０２８８】
部分画像書込部１０３は、部分ボタンの選択と判定されたときは、部分表示用メモリ４９ｅにおける所定の領域に部分画像ＧＤｔｉを書込み、画像出力部によってこの部分画像ＧＤｉを表示（部分ミラー画像Ｇｉ）させる。
【０２８９】
画像同時表示モードにおいては、図４４に示すように、前ミラー画像と後ミラー画像との間で、かつ足部の付近となる個所に部分ミラー画像ＤＧｉを表示させる。
【０２９０】
この個所というのは、部分画像の種類に応じて予め部分画像書込部１０３に領域（座標）で設定されている。同時表示モードの場合は、両方の間で足部付近となる個所が好ましい。
【０２９１】
また、前ミラー画像モードにおいては、図４４に示すような個所に表示させる個所が予め部分画像書込部１０３に領域（座標）で設定されている。同時表示においては、部分画像ＤＧｉは、前ミラー画像と後ミラー画像との間の膝あたりの高さに表示するのが好ましい。
【０２９２】
図４４に示すように、前方からの部分ミラー画像が後ミラー画像と共に表示されるので、後からみたときの靴がどのような感じになって、かつ前からみると靴がどのような感じになるかが一目で把握できる。なお、図４５に示すように、部分画像は、腰部のあたりに表示させてもかまわない。
【０２９３】
部分画像記憶再生部１２０は、前ミラー画像モード、後ミラー画像モード又は前後同時表示ミラーモードの場合において、部分画像ボタン管理部１０４が部分画像の撮影ボタンの選択と判定した場合は、部分画像ＧＤｉが出力される毎（１フレーム毎）に、この部分画像ＧＤｉを部分画像用画像メモリ１２１に記憶（静止画）する。
【０２９４】
このとき、画像・撮影・ストック・比較部８０が生成したファイル番号Ｍｆｉ又はＢｆｉ若しくは両方を読み込み、これらのファイル番号に部分静止画像ＧＤｈｉを付加して保存する。
【０２９５】
例えば、同時表示モードで部分画像の撮影ボタンの選択の場合は、ファイル番号Ｍｆｉ、Ｂｆｉを付加し、前ミラー画像モードで撮影ボタンの場合はファイル番号Ｍｆｉを付加し、後ミラー画像モードで撮影ボタンの場合はファイル番号Ｂｆｉを付加する。
【０２９６】
さらに、同時表示モードで比較ボタンの選択の場合は、画像・撮影・ストック・比較部８０からストック領域において選択されたストック画像のストック番号ｊｉにリンク付けされているファイル番号Ｍｆｉ、Ｂｆｉを読み込む。そして、このファイル番号を有する部分静止画像Ｄｈｉを部分画像書込部に渡して図４４のような個所に表示させる。
【０２９７】
また、前撮影モードで比較ボタンの選択の場合は、画像・撮影・ストック・比較部８０からストック領域において選択されたストック画像のストック番号ｊｉにリンク付けされているファイル番号Ｍｆｉを読み込む。そして、このファイル番号を有する部分静止画像Ｄｈｉを部分画像書込部１０３に渡して図４４のような個所に表示させる。
【０２９８】
また、後撮影モードで比較ボタンの選択の場合は、画像・撮影・ストック・比較部８０からストック領域において選択されたストック画像のストック番号ｊｉにリンク付けされているファイル番号Ｂｆｉを読み込む。そして、このファイル番号を有する部分静止画像Ｄｈｉを部分画像書込部１０３に渡して図４６のような個所に表示させる。
【０２９９】
＜実施の形態６＞
図４７は実施の形態６の電子ミラーシステムの概略構成図である。図４７においては、上記実施の形態と同様なものについては説明を省略する。
【０３００】
また、パネルコントローラ３３、画像出力部５７、前用ビデオキャプチャー３４、後用ビデオキャプチャー３５、前用スリム化部３９、後用スリム化部４０、ビデオ再生部４１、前用画像バッファ３６、後用画像バッファ３７、ハードディスク４２、ぎらつき除去フィルタ部５３、前画像領域抽出部５０、後画像領域抽出部５１、第２の画像・ボタン遷移管理部６０等、第３の画像・ボタン管理部７０、部分画像ボタン管理部１０４、部分画像記憶・再生部１２１等は省略している。
【０３０１】
図４７に示すように、本実施の形態６の電子ミラーシステムの本体部２１は、動画像ボタン管理部１３０と、動画像・ストック・比較部１３１、タイマー１３５等を備えている。
【０３０２】
動画像ボタン管理部１３０は、第３の画像ボタン管理部７０が同時撮影モードと判定した場合は、前画像ＺＭａｉ、後画像ＺＢｇｉとを一定時間分だけ保存させる（同時動画保存処理という）。
【０３０３】
また、再生ボタンが選択された場合は、この前画像と後画像とを同時に再生させる（同時動画再生処理という）。
【０３０４】
さらに、動画像ボタン管理部１３０は、前画像撮影モードと判定した場合は、前画像ＺＭａｉを一定時間分だけ保存させ（前画像動画保存処理という）、再生ボタンが選択された場合は、この前画像再生させる（前画像動画再生処理という）。
【０３０５】
また、動画像ボタン管理部１３０は、後画像撮影モードと判定した場合は、後画像ＺＢａｉを一定時間分だけ保存させ（後画像動画保存処理という）、再生ボタンが選択された場合は、この後画像再生させる（後画像動画再生処理という）。
【０３０６】
さらに、動画像ボタン管理部１３０は、同時表示比較モードで再生ボタンが選択された場合は、比較枠内で選択された画像（前、後）を動画再生する。同時表示において比較枠内での動画再生を同時比較動画再生処理と称し、前画像表示において比較枠での動作が再生を前画像比較動画再生処理と称し、後画像表示において比較枠での動作が再生を後画像比較動画再生処理と称する。
【０３０７】
さらに、動画像ボタン管理部１３０は、動画再生ボタンとボタン領域の座標とを対応させたテ−ブル（図示せず）を備えている。
【０３０８】
そして、同時表示モード、前画像モード若しくは後画像モードで撮影ボタンが選択された場合は、動画像・ストック・比較部１３１を起動させる。
【０３０９】
前述の動画像ストック比較部１３１は、同時動画保存処理、同時動画再生処理、前画像動画保存処理、前画像動画再生処理、後画像動画保存処理、後画像動画再生処理並びに同時比較動画再生処理、前画像比較動画再生処理、後画像比較動画再生処理等を実行する。
【０３１０】
（同時画像保存処理）
同時画像保存処理は、表示画像選択部１４７から前画像ＺＭａｉ及び後画像ＺＢｇｉを、同時前動画用画像メモリ１３４ａ、同時後用画像メモリ１３４ｂに順次記憶させる。このとき、画像・撮影・ストック比較部１８０の前後画像・撮影・ストック比較部７２が同時用静止画像メモリ８５に前、後の静止画像と共に記憶しているファイル番号Ｍｆｉ及びファイル番号Ｂｆｉを読込み、これらに関連させて順次記憶している。
【０３１１】
（同時画像動画再生処理）
また、動画像ボタン管理部１３０が再生ボタンの選択と判定した場合は、前後画像・再生ストック比較部７２が管理している現在表示している静止画（前と後ろ）のファイル番号Ｍｆｉ及びファイル番号Ｂｆｉを同時用静止画像メモリ８５から読み出し、ファイル番号Ｍｆｉの前動画像を同時用前画像メモリ１３４ａから読み出すと共に、同時用後画像メモリ１３４ｂからファイル番号Ｂｆｉを有する後動画像を読み出して前後書込５２に出力して同時表示させる。このときの、解像度は１００％再生である。
【０３１２】
この同時画像再生処理の画面例を図４８（ａ）、図４８（ｂ）に示す。
【０３１３】
図４８（ａ）は同時撮影モードでの前静止画像及び後静止画像であり、図４８（ｂ）は同時撮影モードでの前静止画像及び後静止画像の再生画像（動画）である。従って、前の動きと後ろの動きを同時に把握できる。
【０３１４】
（前画像動画保存処理）
前画像保存処理は、表示画像選択部１４７から前画像ＺＭａｉを、前動画用画像メモリ７１３２に順次記憶させる。このとき、画像・撮影・ストック比較部１８０の前画像・撮影・ストック比較部８６が前用画像メモリ７８に記憶している現在表示している前静止画像と共に記憶しているファイル番号Ｍｆｉを読込み、これらに関連させて順次記憶している。
【０３１５】
（前画像動画再生処理）
また、動画像ボタン管理部１３０が再生ボタンの選択と判定した場合は、前画像・再生ストック比較部８６が管理している現在表示している静止画（前と後ろ）のファイル番号Ｍｆｉを前用画像メモリ７８から読み出し、ファイル番号Ｍｆｉを有する後動画像を前用動画像メモリ１３２から読み出して画像書込部４８に出力して表示させる。このときの、解像度は１００％再生である。
【０３１６】
図４８（ｃ）は前撮影モードでの前静止画像であり、図４８（ｄ）は前撮影モードでの再生画像（動画）である。
【０３１７】
（後画像動画保存処理）
後画像保存処理は、表示画像選択部１４７から後画像ＺＢｇｉを、後動画用画像メモリ１３３に順次記憶させる。このとき、画像・撮影・ストック比較部１８０の後画像・撮影・ストック比較部８７が後静止画像メモリ７９に記憶している現在表示している後静止画像と共に記憶しているファイル番号Ｂｆｉを読込み、これらに関連させて順次記憶している。
【０３１８】
（後画像動画再生処理）
また、動画像ボタン管理部１３０が再生ボタンの選択と判定した場合は、前画像・再生ストック比較部８６が管理している現在表示している後静止画のファイル番号Ｂｆｉを後用静止画像用画像メモリ７９から読み出し、ファイル番号Ｂｆｉを有する後動画像を後用動画像メモリ１３３から読み出して画像書込部４８に出力して表示させる。このときの、解像度は１００％再生である。
【０３１９】
図４８（ｅ）は後撮影モードでの後静止画像であり、図４８（ｆ）は後撮影モードでの再生画像（動画）である。
【０３２０】
なお、前述の一定時間というのは、タイマー１３５が計測する一定時間であり、例えば１０秒、２０秒・・・を計測するまで読込む。このとき、圧縮させて保存させてもよい。
【０３２１】
（同時比較動画再生処理）
動画像・ストック・比較部１３１は、同時比較示モードで比較枠内にストック領域の前画像と、この前画像に対応する後画像とを表示させている場合に、いずれかの画像が選択されて再生ボタンが選択された場合に、その選択画像を比較枠のその選択格子内で動画再生する（図４９（ａ）、図４９（ｂ））。
【０３２２】
すなわち、画像撮影ストック比較部１８０に含まれている前後画像・撮影・ストック・比較部７２が把握している比較枠の選択格子の座標ｊｉ（格子番号に対応する）にリンク付けされているファイル番号Ｍｆｉと、ファイル番号Ｂｆｉとを読み込み、ファイル番号Ｍｆｉを有する前動画像をメモリ１３４ａ及びファイル番号Ｂｆｉを有する後画像をメモリ１３４ｂから順次読み出して、前後画像書込部５２に渡して図４９の（ａ）から図４９（ｂ）のように、比較枠で選択された前画像と後画像の動画像を表示させる。
【０３２３】
図４９（ｂ）は、図４９（ａ）において、格子Ｊａ１の前画像が選択された場合に、その前画像のを再生した動画になっていることを示す。
【０３２４】
（前画像比較動画再生処理）
動画像・ストック・比較部１３１は、前画像比較示モードで比較枠内にストック領域の前画像を表示させている場合に、いずれかの比較枠の格子が選択されて再生ボタンが選択された場合に、その選択画像を比較枠のその選択格子内で動画再生する（図４９（ｃ）、図４９（ｄ））。
【０３２５】
すなわち、画像撮影ストック比較部１８０に含まれている前画像・撮影・ストック・比較部８６が把握している比較枠の選択格子の座標ｊｉ（格子番号に対応する）にリンク付けされているファイル番号Ｍｆｉを読み込み、ファイル番号Ｍｆｉを有する前動画像をメモリ１３４ａから順次読み出して、画像書込部４８に渡して図４９の（ｃ）から図４９（ｄ）のように、比較枠で選択された前画像を表示させる。
【０３２６】
図４９（ｄ）は、図４９（ｃ）における比較枠でＪａ１が選択された場合に、その再生動画を示している。
【０３２７】
（後画像比較動画再生処理）
動画像・ストック・比較部１３１は、後画像比較示モードで比較枠内にストック領域の後画像を表示させている場合に、いずれかの比較枠の格子が選択されて再生ボタンが選択された場合に、その選択画像を比較枠のその選択格子内で動画再生する（図４９（ｅ）、図４９（ｆ））。
【０３２８】
すなわち、画像撮影ストック比較部１８０に含まれている後画像・撮影・ストック・比較部８７が把握している比較枠の選択格子の座標ｊｉ（格子番号に対応する）にリンク付けされているファイル番号Ｂｆｉを読み込み、ファイル番号Ｂｆｉを有する前動画像をメモリ７９から順次読み出して、画像書込部４８に渡して図４９の（ｅ）から図４９（ｆ）のように、比較枠で選択された後画像を表示させる。
【０３２９】
図４９（ｆ）は、図４９（ｅ）における比較枠でＪａ１が選択された場合に、その再生動画を示している。
【０３３０】
また、全部再生ボタンが選択された場合は、比較枠に表示されている全ての前後画像、前画像又は後画像を動画再生させる。
【０３３１】
また、比較枠の格子が選択される毎に、動画像を表示するとしたが、数個の格子を選択して、再生ボタンの選択で、これらを同時に動画表示させてもよい。
【０３３２】
＜実施の形態７＞
図５０は実施の形態７の電子ミラーシステムの概略構成図である。図５０に示すように、通信端末１４０を備えて、この通信端末１４０からの信号（ボタン選択、タッチに代わる信号：電波、赤外）を本体部に接続された送受信部が受信し、受信した信号を本体部が解読する機能を有し、解読したボタン、タッチに対応する座標をパネルコントローラに代えて送出するようにしてもよい。
【０３３３】
このようにすると、タッチパネルを触らなくともよいので、ミラー部１０に向かってたつだけで目的の画像（前後、前又は後、動画、比較、ストック）を得ることができる。
【０３３４】
＜その他の実施の形態＞
また、本体部には、図５１（ａ）に示す前静止画像を表示させた後に、性別（女性、男性）を入力するためのウインドウ画面を開き、性別が確定した後で、その性別に応じた予め設定されている人枠Ｅｉを重ね表示して（調整可能：図５１（ｂ））、必要により身長、横幅などを手入力で調整する。  そして、洋服の種類を選択するウインドウを開き（図５１（ｃ））、図５１（ｄ）に示すように選択された洋服の擬似画像を重ねる機能（手段）を備えてもよい。
【０３３５】
さらに、図５２に示すように、壁に多数の薄型テレビジョンを設けると共に、多数のビデオカメラ（足部用ビデオカメラ１０１、横用ビデオカメラ１５２、胸部用ビデオカメラ１５０、前用ビデオカメラ１３、後用ビデオカメラ１４等）を設けて、それぞれの薄型テレビジョンに該当の画像を表示させるようにしてもよい。つまり、胸部用ビデオカメラからの画像を入力する本体部２１と、後用ビデオカメラの画像を入力する本体部２１と、横用ビデオカメラの画像を入力する本体部２１と、足部用ビデオカメラからに画像を入力する本体部２１とを備えて、これらを管理部１６０（マウス１６２、キーボード１６３、モニタ１６１等が接続されている）で管理して、管理部１６０からの指示で各本体部が所定の動作をするようにしてもよい。
【０３３６】
なお、上記前用ビデオカメラ１３、後用ビデオカメラ１４には雲台（図示せず）を設けてもよい。即ち、同時表示モードにされた場合に、図５３に示すように右側に前画像が表示された場合には、画面の前画像の表示領域の中央に位置しようとする。
【０３３７】
このように、被写体が画面の中央から動くと、両方の画面領域から人物の前画像、後画像ははみ出ることになる。
【０３３８】
このような場合には対処できるようにするために、同時表示モードにおいては広角制信号発生部４７ｃは、広角制御信号と共に、上記前用ビデオカメラ１３、後用ビデオカメラ１４の各雲台に対して例えば図５３のように両方のビデオカメラを水平移動させる。
【０３３９】
つまり、前画像を表示している画面の領域の中央軸で、かつ画面から例えば１ｍ程度の位置に光軸が移動するような制御信号を発生する。
【０３４０】
これによって、前画像を表示させている領域に人物が移動しても、１０８０×１９２０ピクセルの画面に前後画像を同時に表示できる。
【０３４１】
また、後画像又は前画像は、同時表示モードにおいては、いずれかを小さくして表示させてもよいし、いずれかを上又は下或いは斜めに表示させてもよい。
【０３４２】
さらに、前用ビデオカメラ１３（１０８０×１９２０）と同じ位置に別の前用ビデオカメラ（５４０×１９２０）及び後用ビデオカメラ１４（１０８０×１９２０）と同じ位置に別の後用ビデオカメラ（５４０×１９２０）を設けて、これを前画像領域抽出部５０、後画像領域抽出部５１を介さないで前後画像書込部５２に出力させてもよい。
【０３４３】
なお、上記図２４のメモリ８５に記憶された前静止画像ＺＭｈｉ、後静止画像ＺＢｈｉ又は、メモリ７８の前静止画像Ｍｈｉ、メモリ７９の後静止画像Ｂｈｉ又はサムネイル画像、比較枠の画像は、年月日、時刻、ユーザの氏名、担当者名等に対応させて図示しない他のメモリに保存しておく。そして、年月日、時刻、ユーザ名（ユーザコード）の入力に伴って、このメモリに記憶している前静止画像ＺＭｈｉ、後静止画像ＺＢｈｉ又は、前静止画像Ｍｈｉ、後静止画像Ｂｈｉ又はサムネイル画像、比較枠の画像を読み出す読出手段（図示せず）によって読み出させて、図示しない印刷機（プリンタ）で印刷させてもよい。
【０３４４】
なお、上述した実施の形態において、本発明の各手段を実施する要素の具体例は以下のようになるが、この記載の要素に限定されるものではない。また、本発明の各手段によって実行される各工程を有する方法も本発明に含まれる。
【０３４５】
第１手段には、前用ビデオキャプチャー３４と前用画像バッファメモリ３６が含まれる。
【０３４６】
第２手段には、後用ビデオキャプチャー３５と後用画像バッファメモリ３７が含まれる。
【０３４７】
第３手段には、表示画像選択部４７と、画像書込部４８と、画像表示用メモリ４９ａと、画像出力部５７が含まれる。
【０３４８】
第４手段には、画像・ボタン管理部４５と、表示画像選択部４７と、広角制信号発生部４７ｃが含まれる。
【０３４９】
第５手段は前画像領域抽出部５０に相当し、第６手段は後画像領域抽出部５１に相当する。
【０３５０】
第７手段には、前画像領域抽出部５０と、前後画像書込部５２と、画像出力部５７が含まれる。
【０３５１】
第８手段には、後画像領域抽出部５１と、前後画像書込部５２と、画像出力部５７が含まれる。
【０３５２】
第９手段と、第１０手段と、第１１手段には、それぞれ前画像領域抽出部５０と前後画像書込部５２が含まれる。
【０３５３】
第１２手段は、第３の画像・ボタン遷移管理部７０に相当する。
【０３５４】
第１３手段には、前後画像静止化部７２ａと、前後画像書込部５２と、後画像領域抽出部５１と、画像出力部５７が含まれる。
【０３５５】
第１４手段には、前後同時ストック部７２ｂと前後ストック用メモリ８２が含まれる。
【０３５６】
第１５手段には、前後同時ストック部７２ｂと、前後ストック領域書込部９０と、後画像領域抽出部５１と、画像出力部５７が含まれる。
【０３５７】
第１６手段には、前後同時ストック部７２ｂと、前後ストック領域書込部９０と、ストック領域表示用メモリ４９ｄと、画像出力部５７が含まれる。
【０３５８】
第１７手段は表示枠作成処理７２ｆｄに、第１８手段は後比較処理７２ｆｃに、第１９手段はビデオキャプチャー７１に相当する。
【０３５９】
第２０手段には、表示画像選択部４７と、部分画像書込部１０３と、部分用表示メモリ４９ｅと、画像出力部５７が含まれる。
【０３６０】
第２１手段と第２２手段と第２３手段には、部分画像書込部１０３と、部分画像ボタン管理部１０４が含まれる。
【０３６１】
第２４手段は図４７に示した動画像・ストック・比較部１３１に相当する。
【０３６２】
第２５手段には、動画像・ストック・比較部１３１と、前後画像書込部５２と、画像表示用メモリ４９ａと、画像出力部５７が含まれる。
【０３６３】
第２６手段と第２７手段は広角制御信号発生部４７ｃに相当する。
【０３６４】
第２８手段には、前用スリム化部３９と後用スリム化部４０が含まれる。
【０３６５】
第２９手段は図７のぎらつき除去フィルタ部５３に相当する。
【図１】
2012120622.tif 000003
【図２】
2012120622.tif 000004
【図３】
2012120622.tif 000005
【図４】
2012120622.tif 000006
【図５】
2012120622.tif 000007
【図６】
2012120622.tif 000008
【図７】
2012120622.tif 000009
【図８】
2012120622.tif 000010
【図９】
2012120622.tif 000011
【図１０】
2012120622.tif 000012
【図１１】
2012120622.tif 000013
【図１２】
2012120622.tif 000014
【図１３】
2012120622.tif 000015
【図１４】
2012120622.tif 000016
【図１５】
2012120622.tif 000017
【図１６】
2012120622.tif 000018
【図１７】
2012120622.tif 000019
【図１８】
2012120622.tif 000020
【図１９】
2012120622.tif 000021
【図２０】
2012120622.tif 000022
【図２１】
2012120622.tif 000023
【図２２】
2012120622.tif 000024
【図２４】
2012120622.tif 000025
【図２５】
2012120622.tif 000026
【図２６】
2012120622.tif 000027
【図２７】
2012120622.tif 000028
【図２８】
2012120622.tif 000029
【図２９】
2012120622.tif 000030
【図３０】
2012120622.tif 000031
【図３１】
2012120622.tif 000032
【図３２】
2012120622.tif 000033
【図３３】
2012120622.tif 000034
【図３４】
2012120622.tif 000035
【図３５】
2012120622.tif 000036
【図３６】
2012120622.tif 000037
【図３７】
2012120622.tif 000038
【図３８】
2012120622.tif 000039
【図３９】
2012120622.tif 000040
【図４０】
2012120622.tif 000041
【図４２】
2012120622.tif 000042
【図４３】
2012120622.tif 000043
【図４４】
2012120622.tif 000044
【図４６】
2012120622.tif 000045
【図４７】
2012120622.tif 000046
【図４８】
2012120622.tif 000047
【図４９】
2012120622.tif 000048
【図５０】
2012120622.tif 000049
【図５２】
2012120622.tif 000050
【図５３】
2012120622.tif 000051
【図２３】
2012120622.tif 000052
【図４１】
2012120622.tif 000053
【図４５】
2012120622.tif 000054
【図５１】
2012120622.tif 000055
【国際調査報告】
2012120622.tif 000056
2012120622.tif 000057